(57)【特許請求の範囲】
【請求項１】
ユーザ機器（ＵＥ）からのアップリンク送信が干渉制限状態にあるかどうかを判断することと、
前記アップリンク送信が前記干渉制限状態にあると判断したことに応答して、前記ＵＥの複数のアンテナ間のアンテナ利得不均衡（ＡＧＩ）を補償するように前記ＵＥに命令することと、
前記アップリンク送信が前記干渉制限状態にないと判断したことに応答して、前記複数のアンテナに対する総電力制御を実行するように前記ＵＥに命令することと
を備える、ワイヤレス通信のための方法。
【請求項２】
前記アップリンク送信が近隣セルに対して前記干渉制限状態にあると判断したことに応答して、
受信機信号対干渉雑音比（ＳＩＮＲ）に応じて各アンテナからの放射電力を均衡させるように前記ＵＥに命令することと、
開ループダイバーシティと閉ループ空間多重化とのうちの１つを実行するように前記ＵＥに命令することと
をさらに備える、請求項１に記載の方法。
【請求項３】
前記アップリンク送信が近隣セルに対して前記干渉制限状態にないと判断したことに応答して、
送信信号対干渉雑音比（ＳＩＮＲ）を維持するために総電力制御を実行するように前記ＵＥに命令することをさらに備える、
請求項１に記載の方法。
【請求項４】
前記複数のアンテナに対する電力割り当てを示すためにシグナリングすることをさらに備える、
請求項３に記載の方法。
【請求項５】
前記電力割り当てを示すために量子化信号を与えることをさらに備える、
請求項４に記載の方法。
【請求項６】
ウォーターフィリング手法によって前記複数のアンテナに対する電力割り当てを実行するように前記ＵＥに命令することをさらに備える、
請求項１に記載の方法。
【請求項７】
物理アップリンク共有チャネル（ＰＵＳＣＨ）に対する送信電力制御を実行するように前記ＵＥに命令することをさらに備える、
請求項１に記載の方法。
【請求項８】
物理アップリンク共有チャネル（ＰＵＳＣＨ）の総送信電力に従うサウンディング基準信号を用いて一度に１つのアンテナをサウンディングすることによって、前記サウンディング基準信号に対する総電力制御を実行するように前記ＵＥに命令することをさらに備える、
請求項１に記載の方法。
【請求項９】
等電力分割を用いて一度に２つ以上のアンテナをサウンディングすることによって、サウンディング基準信号に対する総電力制御を実行するように前記ＵＥに命令することをさらに備える、
請求項１に記載の方法。
【請求項１０】
物理アップリンク制御チャネル（ＰＵＣＣＨ）に対する送信電力制御を実行するように前記ＵＥに命令することをさらに備える、
請求項１に記載の方法。
【請求項１１】
前記アップリンク送信が近隣セルに対して前記干渉制限状態にないと判断したことに応答して、
受信機信号対干渉雑音比（ＳＩＮＲ）損失とダイバーシティ利得との間のトレードオフを達成するために、前記ＡＧＩが所定のしきい値を下回る場合、前記複数のアンテナに対する電力割り当てを実行するように前記ＵＥに命令することと、
前記ＡＧＩが前記所定のしきい値を上回る場合、単一アンテナ送信を実行するように前記ＵＥに命令することと
をさらに備える、請求項１０に記載の方法。
【請求項１２】
前記アップリンク送信が近隣セルに対して前記干渉制限状態にあると判断したことに応答して、
前記アンテナからの放射電力を均衡させるためにＡＧＩ補償を実行するように前記ＵＥに命令することをさらに備える、
請求項１０に記載の方法。
【請求項１３】
Ｌ３レイヤシグナリングを介して総電力制御と電力割り当てとを半静的に実行するように前記ＵＥに命令することをさらに備える、
請求項１０に記載の方法。
【請求項１４】
前記ＵＥから、複数の受信アンテナにおける総電力ヘッドルームと受信ＡＧＩとに関するレポートを受信することをさらに備える、
請求項１に記載の方法。
【請求項１５】
前記ＵＥから、複数の受信アンテナの間の測定されたダウンリンクパスロス差に関するレポートを受信することをさらに備える、
請求項１に記載の方法。
【請求項１６】
ワイヤレス通信ネットワーク中のユーザ機器（ＵＥ）からのアップリンク送信が干渉制限状態にあるという判断に応答して、前記ＵＥの複数のアンテナ間のアンテナ利得不均衡（ＡＧＩ）を補償するように前記ＵＥに命令することと、
前記ＵＥからのアップリンク送信が前記干渉制限状態にないという判断に応答して、前記複数のアンテナに対する総電力制御を実行するように前記ＵＥに命令することと
をコンピュータに行わせるためのコード化された命令を保持するコンピュータ可読記憶媒体。
【請求項１７】
前記ＵＥからの前記アップリンク送信が近隣セルに対して前記干渉制限状態にあると判断することと、
受信機信号対干渉雑音比（ＳＩＮＲ）に応じて各アンテナからの放射電力を均衡させるように前記ＵＥに命令することと、
開ループダイバーシティと閉ループ空間多重化とのうちの１つを実行するように前記ＵＥに命令することと
をコンピュータに行わせるためのコード化された命令をさらに保持する、請求項１６に記載のコンピュータ可読記憶媒体。
【請求項１８】
前記ＵＥからの前記アップリンク送信が近隣セルに対して前記干渉制限状態にないと判断することと、
送信信号対干渉雑音比（ＳＩＮＲ）を維持するために総電力制御を実行するように前記ＵＥに命令することと
をコンピュータに行わせるためのコード化された命令をさらに保持する、請求項１６に記載のコンピュータ可読記憶媒体。
【請求項１９】
ユーザ機器（ＵＥ）からのアップリンク送信が干渉制限状態にあるという判断に応答して、前記ＵＥの複数のアンテナ間のアンテナ利得不均衡（ＡＧＩ）を補償するように前記ＵＥに命令するための手段と、
前記ＵＥからのアップリンク送信が前記干渉制限状態にないという判断に応答して、前記複数のアンテナに対する総電力制御を実行するように前記ＵＥに命令するための手段と
を備える、ワイヤレス通信のための装置。
【請求項２０】
前記ＵＥからの前記アップリンク送信が近隣セルに対して前記干渉制限状態にあると判断するための手段と、
受信機信号対干渉雑音比（ＳＩＮＲ）に応じて各アンテナからの放射電力を均衡させるように前記ＵＥに命令するための手段と、
開ループダイバーシティと閉ループ空間多重化とのうちの１つを実行するように前記ＵＥに命令するための手段と
をさらに備える、請求項１９に記載の装置。
【請求項２１】
前記ＵＥからの前記アップリンク送信が近隣セルに対して前記干渉制限状態にないと判断するための手段と、
送信信号対干渉雑音比（ＳＩＮＲ）を維持するために総電力制御を実行するように前記ＵＥに命令するための手段と
をさらに備える、請求項１９に記載の装置。
【請求項２２】
ユーザ機器（ＵＥ）からのアップリンク送信が干渉制限状態にあるという判断に応答して、前記ＵＥの複数のアンテナ間のアンテナ利得不均衡（ＡＧＩ）を補償するように前記ＵＥに命令する信号を与えるための命令と、前記ＵＥからのアップリンク送信が前記干渉制限状態にないという判断に応答して、前記複数のアンテナに対する総電力制御を実行するように前記ＵＥに命令する信号を与えるための命令とを保持するメモリと、
前記命令を実行するプロセッサと
を備える、ワイヤレス通信のための装置。
【請求項２３】
前記アップリンク送信が近隣セルに対して前記干渉制限状態にあるという前記判断に応答して、前記メモリは、
受信機信号対干渉雑音比（ＳＩＮＲ）に応じて各アンテナからの放射電力を均衡させるように前記ＵＥに命令する信号を与えるための命令と、
開ループダイバーシティと閉ループ空間多重化とのうちの１つを実行するように前記ＵＥに命令する信号を与えるための命令と
をさらに保持する、請求項２２に記載の装置。
【請求項２４】
前記アップリンク送信が近隣セルに対して前記干渉制限状態にないという前記判断に応答して、前記メモリは、
送信信号対干渉雑音比（ＳＩＮＲ）を維持するために総電力制御を実行するように前記ＵＥに命令する信号を与えるための命令をさらに保持する、
請求項２２に記載の装置。
【請求項２５】
前記メモリは、前記複数のアンテナ間の電力割り当てを示すための信号を前記ＵＥに与えるための命令をさらに保持する、
請求項２２に記載の装置。
【請求項２６】
前記メモリは、ウォーターフィリング手法によって前記複数のアンテナに対する電力割り当てを実行するように前記ＵＥに命令する信号を与えるための命令をさらに保持する、
請求項２２に記載の装置。
【請求項２７】
前記メモリは、物理アップリンク共有チャネル（ＰＵＳＣＨ）に対する送信電力制御を実行するように前記ＵＥに命令する信号を与えるための命令をさらに保持する、
請求項２２に記載の装置。
【請求項２８】
前記メモリは、物理アップリンク共有チャネル（ＰＵＳＣＨ）の総送信電力に従うサウンディング基準信号を用いて一度に１つのアンテナをサウンディングすることによって、前記サウンディング基準信号に対する総電力制御を実行するように前記ＵＥに命令する信号を与えるための命令をさらに保持する、
請求項２２に記載の装置。
【請求項２９】
前記メモリは、等電力分割を用いて一度に２つ以上のアンテナをサウンディングすることによって、サウンディング基準信号に対する総電力制御を実行するように前記ＵＥに命令する信号を与えるための命令をさらに保持する、
請求項２２に記載の装置。
【請求項３０】
前記メモリは、物理アップリンク制御チャネル（ＰＵＣＣＨ）に対する送信電力制御を実行するように前記ＵＥに命令する信号を与えるための命令をさらに保持する、
請求項２２に記載の装置。
【請求項３１】
前記アップリンク送信が近隣セルに対して前記干渉制限状態にないという前記判断に応答して、前記メモリは、
受信機信号対干渉雑音比（ＳＩＮＲ）損失とダイバーシティ利得との間のトレードオフを達成するために、ＡＧＩが所定のしきい値を下回るという判断に応答して前記複数のアンテナに対する電力割り当てを実行するように前記ＵＥに命令する信号を与えるための命令と、
ＡＧＩが前記所定のしきい値を上回るという判断に応答して単一アンテナ送信を実行するように前記ＵＥに命令する信号を与えるための命令と
をさらに保持する、請求項３０に記載の装置。
【請求項３２】
前記アップリンク送信が近隣セルに対して前記干渉制限状態にあるという前記判断に応答して、前記メモリは、
前記複数のアンテナからの放射電力を均衡させるためにＡＧＩ補償を実行するように前記ＵＥに命令する信号を与えるための命令をさらに保持する、
請求項３０に記載の装置。
【請求項３３】
基地局へのアップリンク送信が干渉制限状態にある場合、複数のアンテナ間のアンテナ利得不均衡（ＡＧＩ）を補償することと、
前記基地局へのアップリンク送信が前記干渉制限状態にない場合、前記複数のアンテナに対する総電力制御を実行することと
を備える、ワイヤレス通信のための方法。
【請求項３４】
ＡＧＩを前記補償することは、受信機信号対干渉雑音比（ＳＩＮＲ）に応じて各アンテナからの放射電力を均衡させること備える、
請求項３３に記載の方法。
【請求項３５】
総電力制御を前記実行することは、送信信号対干渉雑音比（ＳＩＮＲ）を維持するために総電力制御を実行することを備える、
請求項３３に記載の方法。
【請求項３６】
基地局へのアップリンク送信が干渉制限状態にある場合、複数のアンテナ間のアンテナ利得不均衡（ＡＧＩ）を補償するための手段と、
前記基地局へのアップリンク送信が前記干渉制限状態にない場合、前記複数のアンテナに対する総電力制御を実行するための手段と
を備える、ワイヤレス通信のための装置。
【請求項３７】
複数の受信アンテナにおける総電力ヘッドルームと受信ＡＧＩとを前記基地局にレポートするための手段をさらに備える、
請求項３６に記載の装置。
【請求項３８】
複数の受信アンテナの間の測定されたダウンリンクパスロス差を前記基地局にレポートするための手段をさらに備える、
請求項３６に記載の装置。
【請求項３９】
基地局にアップリンク送信を送信するための複数のアンテナと、
前記複数のアンテナに電力供給するための電力モジュールと、
前記電力モジュールを制御するための制御モジュールと
を備え、前記制御モジュールは、
前記アップリンク送信が干渉制限状態にある場合、前記複数のアンテナ間のアンテナ利得不均衡（ＡＧＩ）を補償することと、
前記アップリンク送信が前記干渉制限状態にない場合、前記複数のアンテナに対する総電力制御を実行することと
を行うように構成される、
ワイヤレス通信のための装置。
【請求項４０】
前記制御モジュールは、受信機信号対干渉雑音比（ＳＩＮＲ）に応じて各アンテナからの放射電力を均衡させることによってＡＧＩを補償するようにさらに構成される、
請求項３９に記載の装置。
【請求項４１】
前記制御モジュールは、送信信号対干渉雑音比（ＳＩＮＲ）を維持するために総電力制御を実行するようにさらに構成される、
請求項３９に記載の装置。
【発明の詳細な説明】
【関連出願】
【０００１】
関連出願の相互参照
本出願は、米国特許法第１１９条（ｅ）項に従って、その出願の全体が参照によって本明細書に明確に組み込まれる、２００９年８月４日に出願された米国仮出願第６１／２３１，２８９号の優先権を主張する。
【技術分野】
【０００２】
本開示は、一般に通信に関し、より詳細には、ワイヤレス通信ネットワークにおける複数の送信アンテナにわたるアップリンク送信電力制御と電力割り当てとに関する。
【背景技術】
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）は、セルラー技術における大きな進歩を表し、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）およびＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の自然な流れとしての、セルラー３Ｇサービスにおける次のステップへの前進である。ＬＴＥは、最高５０メガビット毎秒（Ｍｂｐｓ）のアップリンク速度および最高１００Ｍｂｐｓのダウンリンク速度を提供し、セルラーネットワークに多くの技術的利益をもたらす。ＬＴＥは、次の１０年間に及ぶ、高速データおよびメディアトランスポートならびに大容量ボイスサポートのためのキャリアニーズを満たすように設計されている。帯域幅は、１．２５ＭＨｚから２０ＭＨｚまでスケーラブルである。これは、様々な帯域幅割り当てを有する様々なネットワーク事業者のニーズに適し、また、事業者がスペクトルに基づいて様々なサービスを提供することを可能にする。ＬＴＥはまた、３Ｇネットワーク中のスペクトル効率を改善し、キャリアが所与の帯域幅にわたってより多くのデータおよびボイスサービスを提供することを可能にすると予想される。ＬＴＥは、高速データ、マルチメディアユニキャストおよびマルチメディアブロードキャストサービスを包含する。
【０００４】
ＬＴＥ物理レイヤ（ＰＨＹ）は、進化型ノードＢ（ｅノードＢ）とユーザ機器（ＵＥ）との間でデータと制御情報の両方を搬送する高効率な手段である。ＬＴＥ  ＰＨＹは、セルラーアプリケーションにとって新規のいくつかの先進技術を採用する。これらは、直交周波数分割多重（ＯＦＤＭ）および多入力多出力（ＭＩＭＯ）データ送信を含む。さらに、ＬＴＥ  ＰＨＹは、ダウンリンク（ＤＬ）上では直交周波数分割多元接続（ＯＦＤＭＡ）を使用し、アップリンク（ＵＬ）上ではシングルキャリア周波数分割多元接続（ＳＣ−ＦＤＭＡ）を使用する。ＯＦＤＭＡは、指定された数のシンボル期間の間、データがサブキャリアごとに複数のユーザに向けられるまたは複数のユーザから向けられることを可能にする。
【０００５】
最近では、ＬＴＥ  Ａｄｖａｎｃｅｄが、４Ｇサービスを提供するための発展的モバイル通信規格である。３Ｇ技術として定義されるＬＴＥは、最高１Ｇｂｉｔ／ｓのピークデータレートなど、国際電気通信連合（International Telecommunication Union）によって定義された、ＩＭＴ  Ａｄｖａｎｃｅｄとも呼ばれる４Ｇの要件を満たさない。ピークデータレートの他に、ＬＴＥ  Ａｄｖａｎｃｅｄはまた、電力状態間のより高速なスイッチングと、セルエッジにおける性能の改善とを目標にする。
【発明の概要】
【０００６】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【０００７】
一態様では、ワイヤレス通信ネットワーク中のユーザ機器（ＵＥ）の複数のアップリンクアンテナの送信電力を制御するためのいくつかの行為を実行するための、コンピュータ可読記憶媒体に記憶されたコンピュータ実行可能命令を実行するプロセッサを採用することによる、ワイヤレス通信ネットワークにおけるアップリンクの複数のアンテナ送信電力制御のための方法であって、ＵＥからのアップリンク送信が干渉制限状態にあると判断したことに応答して複数のアップリンクアンテナ間のアンテナ利得不均衡（ＡＧＩ）を補償するようにＵＥに命令することと、ＵＥからのアップリンク送信が干渉制限状態にないと判断したことに応答して複数のアップリンクアンテナに対する総電力制御を実行するようにＵＥに命令することとを備える方法が提供される。
【０００８】
別の態様では、ワイヤレス通信ネットワークにおけるアップリンクの複数のアンテナ送信電力制御のためのコンピュータプログラム製品が提供される。少なくとも１つのコンピュータ可読記憶媒体は、実行されると、アップリンク送信が干渉制限状態にあると判断したことに応答して、複数の送信アンテナ間のＡＧＩを補償するようにＵＥに命令する信号を与える行為と、アップリンク送信が干渉制限状態にないと判断したことに応答して、複数の送信アンテナのための総電力制御を実行するようにＵＥに命令する信号を与える行為とをコンピュータに実行させるコンピュータ実行可能命令を記憶する。
【０００９】
追加の態様では、ワイヤレス通信ネットワークにおけるアップリンクの複数のアンテナ送信電力制御のための装置が提供される。本装置は、アップリンク送信電力が近隣セルに対して干渉制限状態にあると判断したことに応答して、複数の送信アンテナ間のＡＧＩを補償するようにＵＥに命令するための第１の手段を備える。本装置は、アップリンク送信電力が近隣セルに対して干渉制限状態にないと判断したことに応答して、複数の送信アンテナに対する総電力制御を実行するようにＵＥに命令するための第２の手段をさらに備える。
【００１０】
さらなる態様では、ワイヤレス通信ネットワークにおけるアップリンクの複数のアンテナ送信電力制御のための装置が提供される。本装置は、複数のアップリンクアンテナを有するユーザ機器（ＵＥ）からのアップリンク送信が干渉制限状態にあるという判断に応答して、複数のアンテナ間のアンテナ利得不均衡（ＡＧＩ）を補償するようにＵＥに命令する信号を与えるための命令を保持するメモリを備える。メモリはまた、ＵＥからのアップリンク送信が干渉制限状態にないという判断に応答して、複数のアップリンクアンテナに対する総電力制御を実行するようにＵＥに命令する信号を与えるための命令を保持する。本装置は、これらの命令を実行するプロセッサをさらに備える。
【００１１】
さらに別の態様では、ワイヤレス通信ネットワーク中のＵＥから、複数のアップリンクアンテナの総電力ヘッドルームとアンテナ利得不均衡（ＡＧＩ）とを特徴づけるレポートを受信するために、ＵＥと通信しているプロセッサを使用して、ＵＥの複数のアップリンクアンテナからのアップリンク送信の制御パラメータを与えるための方法が提供される。本方法は、レポートに応答して、電力割り当て方式と、送信ランクと、プリコーディング行列とを判断するためにプロセッサを使用することをさらに備える。本方法は、アップリンク送信のために使用する電力割り当て方式と、送信ランクと、プリコーディング行列とをユーザ機器に送信するためにプロセッサを使用することをさらに備える。
【００１２】
さらに別の態様では、少なくとも１つのプロセッサによって実行されたとき、ワイヤレス通信ネットワーク中のユーザ機器から、ユーザ機器の複数のアップリンクアンテナの総電力ヘッドルームとアンテナ利得不均衡（ＡＧＩ）とを特徴づけるレポートを受信する行為と、レポートに応答して、電力割り当て方式と、送信ランクと、プリコーディング行列とを判断する行為と、アップリンク送信のために使用する電力割り当て方式と、送信ランクと、プリコーディング行列とをユーザ機器に送信する行為とをワイヤレス通信デバイスに実行させる実行可能命令を記憶するコンピュータ可読記憶媒体を備えるコンピュータプログラム製品が提供される。
【００１３】
さらなる追加の態様では、ワイヤレス通信ネットワーク中のユーザ機器において受信される総電力ヘッドルームと受信アンテナ利得不均衡（ＡＧＩ）とに関するレポートを受信するための受信手段を備える、ワイヤレス通信ネットワークにおいて使用されるアップリンクの複数のアンテナの送信電力制御のための装置が提供される。本装置は、レポートに応答して、電力割り当て方式と、送信ランクと、アップリンク送信ランクのためのプリコーディング行列とを判断するための判断手段と、アップリンク送信のために使用する電力割り当て方式と、送信ランクと、プリコーディング行列とをユーザ機器に送信するための送信手段とをさらに備える。
【００１４】
またさらなる態様では、ワイヤレス通信ネットワークにおいて使用されるアップリンクの複数のアンテナの送信電力制御のための装置が提供される。本装置は、ワイヤレス通信ネットワーク中のユーザ機器から、ユーザ機器の複数のアップリンクアンテナの総電力ヘッドルームとＡＧＩとを特徴づけるレポートを受信するための命令を保持するメモリを備える。メモリは、レポートに応答して、電力割り当て方式と、送信ランクと、プリコーディング行列とを判断するためのさらなる命令を保持する。メモリは、アップリンク送信のために使用する電力割り当て方式と、送信ランクと、プリコーディング行列とをユーザ機器に送信するためのさらなる命令を保持する。本装置は、これらの命令を実行するプロセッサをさらに備える。
【００１５】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用され得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００１６】
本開示の特徴、性質、および利点は、全体を通じて同様の参照符号が同様のものを指す図面とともに、以下に記載する詳細な説明を読めばより明らかになろう。
【図面の簡単な説明】
【００１７】
【図１】複数の送信（Ｔｘ）アンテナにわたるアップリンクに対する送信電力制御から利益を得る多入力多出力（ＭＩＭＯ）通信システムの図。
【図２】ワイヤレス通信ネットワークにおいて使用されるアップリンクの複数のアンテナの送信電力制御のための方法のフローチャート。
【図３】いくつかのユーザをサポートするように構成されたワイヤレス通信システムの図。
【図４】マクロセル、フェムトセルおよびピコセルを備えるワイヤレス通信システムの図。
【図５】１つまたは複数のフェムトノードがネットワーク環境内に展開された通信システムの図。
【図６】いくつかの追跡エリア、ルーティングエリアまたはロケーションエリアが定義されたカバレージマップの図。
【図７】多元接続ワイヤレス通信システムの図。
【図８】多入力多出力（ＭＩＭＯ）通信システムの概略図。
【図９】アップリンクＭＩＭＯシステムにおける電力制御関係のグラフィカルプロット。
【図１０】干渉制限ネットワークのための電力制御シナリオの図。
【図１１】非干渉制限ネットワークのための電力制御シナリオ。
【図１２】物理アップリンク共有チャネル（ＰＵＳＣＨ）電力制御を実行する単一アンテナユーザ機器（ＵＥ）の図。
【図１３】ＰＵＳＣＨ電力制御を実行する複数の送信アンテナＵＥの図。
【図１４】総電力制御を実行する複数の送信アンテナＵＥの図。
【図１５】ランク２送信のための干渉制限電力割り当ての容量比較のグラフィカルプロット。
【図１６】ランク２送信のための非干渉制限電力割り当ての容量比較のグラフィカルプロット。
【図１７】例示的な電力増幅器（ＰＡ）効率曲線のグラフィカルプロット。
【図１８】アンテナ利得不均衡（ＡＧＩ）がないランク１送信のための非干渉制限電力割り当ての容量比較のグラフィカルプロット。
【図１９】アンテナ利得不均衡（ＡＧＩ）があるランク１送信のための非干渉制限電力割り当ての容量比較のグラフィカルプロット。
【図２０】単一アンテナＰＵＣＣＨ電力制御装置の図。
【図２１】複数の送信アップリンクのためのＰＵＣＣＨフォーマット１ａ  Ｔｘダイバーシティ性能のグラフィカルプロット。
【図２２】複数の送信アップリンクのためのＰＵＣＣＨフォーマット２Ｔｘダイバーシティ性能のグラフィカルプロット。
【図２３】ワイヤレス通信ネットワークにおいて使用されるアップリンクの複数のアンテナの送信電力制御のための方法の例示的な特徴を示すフローチャート。
【図２４】図２３の方法を実行するための装置を示す図。
【図２５】図２３の方法の一部としてまたはそれに加えて実行され得る例示的なさらなる行為を示すフローチャート。
【図２６】図２５のさらなる行為を実行するための装置を示す図。
【図２７】図２３の方法の一部としてまたはそれに加えて実行され得る例示的なさらなる行為を示すフローチャート。
【図２８】図２７のさらなる行為を実行するための装置を示す図。
【図２９】図２３の方法の一部としてまたはそれに加えて実行され得る例示的なさらなる行為を示すフローチャート。
【図３０】図２９のさらなる行為を実行するための装置を示す図。
【図３１】ワイヤレス通信ネットワークにおいて使用される複数のアンテナのアップリンク送信電力を制御するための方法の例示的な特徴を示すフローチャート。
【図３２】図３２の方法を実行するための装置を示す図。
【発明を実施するための形態】
【００１８】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明らかであろう。他の例では、これらの態様の説明を円滑にするために、周知の構造およびデバイスをブロック図の形態で示す。
【００１９】
図１に、進化型ノードＢ（ｅＮＢ）１０２とユーザ機器（ＵＥ）１０４との間の多入力多出力（ＭＩＭＯ）通信システム１００が示されている。通信システム１００は、複数の送信（Ｔｘ）アンテナ１０６ａ〜１０６ｚにわたるアップリンク１０５に対する送信電力制御から利益を得ることがある。特に、ＵＥ１０４の送信機１０８は、アップリンク送信電力が近隣セル１１４への干渉１１２によって制限される、すなわち、干渉制限状態にあるとコンピューティングプラットフォーム１１０が判断したことに応答して、複数の送信アンテナ１０６ａ〜１０６ｚ間で個別のアンテナ制御ループを介してアンテナ利得不均衡（ＡＧＩ）を補償する。別の例では、送信機１０８は、アップリンク送信電力が近隣セル１１４への干渉１１２によって制限されない、すなわち、干渉制限状態にないとコンピューティングプラットフォーム１１０が判断したことに応答して、複数の送信アンテナ１０６ａ〜１０６ｚのための総電力制御ループを実行する。ＵＥ１０４の受信機（Ｒｘ）１１６は、ｅＮＢ１０２からのダウンリンク１１８などからの干渉１１２に関する情報を受信することができる。
【００２０】
本明細書で使用する「総電力制御」は、単体制御ループを使用して、複数の送信アンテナに伝導される総電力を制御することを指す。ＡＧＩ補償を実行するために追加のシグナリングが必要である。総電力制御は、最適電力割り当て、たとえば、ウォーターフィリングを実行するために使用され得る。ＡＧＩを実行する場合、個々のアンテナのための個別の専用電力制御ループが使用され得る。
【００２１】
図２に、ワイヤレス通信ネットワークにおいて使用されるアップリンクの複数のアンテナの送信電力制御のための方法２００が与えられている。アップリンク電力が干渉制限される場合（ブロック２０２）、アップリンク送信電力制御を実行する際に複数の送信アンテナ間のアンテナ利得不均衡（ＡＧＩ）を補償する（ブロック２０４）。他の場合、複数の送信アンテナに対する総電力制御を実行する（ブロック２０６）。
【００２２】
いくつかの態様では、本明細書の教示は、大規模カバレージ（たとえば、一般にマクロセルネットワークと呼ばれる、３Ｇ（第３世代）ネットワークなどの広域セルラーネットワーク）、およびより小規模のカバレージ（たとえば、住居ベースまたは建築物ベースのネットワーク環境）を含むネットワークにおいて採用され得る。アクセス端末（ＡＴ）がそのようなネットワーク中を移動するとき、アクセス端末は、あるロケーションでは、大規模カバレージを与えるアクセスノード（ＡＮ）によってサービスされ、他のロケーションでは、より小規模のカバレージを与えるアクセスノードによってサービスされることがある。いくつかの態様では、より小さいカバレージノードを使用して、（たとえば、よりロバストなユーザエクスペリエンスのために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（たとえば、住居）にわたるカバレージを与えるノードを、フェムトノードと呼ぶことがある。マクロエリアよりも小さく、フェムトエリアよりも大きいエリアにわたるカバレージを与える（たとえば、商業建築物内のカバレージを与える）ノードを、ピコノードと呼ぶことがある。
【００２３】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことがある。
【００２４】
様々な適用例では、マクロノード、フェムトノード、またはピコノードを指すために他の用語を使用することがある。たとえば、マクロノードを、アクセスノード、基地局、アクセスポイント、ｅノードＢ、マクロセルなどとして構成すること、またはそのように呼ぶことがある。また、フェムトノードを、ホームノードＢ、ホームｅノードＢ、アクセスポイント基地局、フェムトセルなどとして構成すること、またはそのように呼ぶことがある。
【００２５】
図３に、本明細書で開示する教示が実装され得る、いくつかのユーザをサポートするように構成されたワイヤレス通信システム３００を示す。システム３００は、たとえば、マクロセル３０２ａ〜３０２ｇなど、複数のセル３０２の通信を可能にし、各セルは、対応するアクセスノード３０４（たとえば、アクセスポイント３０４ａ〜３０４ｇ）によってサービスされる。図３に示すように、アクセス端末３０６（たとえば、アクセス端末３０６ａ〜３０６ｌ）は、時間とともにシステム３００全体にわたって様々なロケーションに分散され得る。各アクセス端末３０６は、たとえば、アクセス端末３０６がアクティブかどうか、およびアクセス端末３０６がソフトハンドオフ中かどうかに応じて、所与の瞬間に順方向リンク（ＦＬ）および／または逆方向リンク（ＲＬ）上で１つまたは複数のアクセスノード３０４と通信し得る。ワイヤレス通信システム３００は大きい地理的領域にわたってサービスを提供し得る。たとえば、マクロセル３０２ａ〜３０２ｇは、近傍中の数ブロックをカバーし得る。
【００２６】
図４に示す例では、ワイヤレスネットワーク４００は、それぞれ、マクロセル４０２ａ、４０２ｂおよび４０２ｃのためのマクロ基地局などの基地局４１０ａ、４１０ｂおよび４１０ｃを含み得る。基地局４１０ｘは、端末４２０ｘと通信しているピコセル４０２ｘのためのピコ基地局であり得る。基地局４１０ｙは、端末４２０ｙと通信しているフェムトセル４０２ｙのためのフェムト基地局であり得る。簡単のために図４には示されていないが、マクロセルはエッジにおいて重なることがある。ピコセルおよびフェムトセルは、（図４に示すように）マクロセル内に位置し得るか、あるいはマクロセルおよび／または他のセルと重なることがある。
【００２７】
ワイヤレスネットワーク４００はまた、中継局、たとえば、端末４２０ｚと通信する中継局４１０ｚを含み得る。中継局は、上流局からデータおよび／または他の情報の送信を受信し、そのデータおよび／または他の情報の送信を下流局に送信する局である。上流局は、基地局、別の中継局、または端末であり得る。下流局は、端末、別の中継局、または基地局であり得る。中継局はまた、他の端末に対する送信を中継する端末であり得る。中継局は、低再使用プリアンブルを送信および／または受信し得る。たとえば、中継局は、ピコ基地局と同様の方法で低再使用プリアンブルを送信し得、端末と同様の方法で低再使用プリアンブルを受信し得る。
【００２８】
ネットワークコントローラ４３０は、基地局のセットに結合され、これらの基地局の調整および制御を行い得る。ネットワークコントローラ４３０は、単一のネットワークエンティティまたはネットワークエンティティの集合であり得る。ネットワークコントローラ４３０はバックホールを介して基地局４１０と通信し得る。バックホールネットワーク通信４３４は、そのような分散アーキテクチャを採用する基地局４１０ａ〜４１０ｃ間のポイントツーポイント通信を可能にすることができる。また、基地局４１０ａ〜４１０ｃは、たとえば、直接またはワイヤレスバックホールまたはワイヤラインバックホールを介して間接的に、互いに通信し得る。
【００２９】
他の実施形態では、ワイヤレスネットワーク４００は、マクロ基地局（図４に図示せず）のみを含む同種ネットワークであり得る。本例では、ワイヤレスネットワーク４００は、たとえば、マクロ基地局、ピコ基地局、ホーム基地局、中継局など、異なるタイプの基地局を含む異種ネットワークであり得る。これらの様々なタイプの基地局は、様々な送信電力レベル、様々なカバレージエリア、およびワイヤレスネットワーク４００中の干渉に対する様々な影響を有し得る。たとえば、マクロ基地局は、高い送信電力レベル（たとえば、２０ワット）を有し得るが、ピコ基地局、フェムト基地局は、低い送信電力レベル（たとえば、９ワット）を有し得る。本明細書で説明する技法は同種ネットワークおよび／または異種ネットワークのために使用され得る。
【００３０】
端末４２０は、ワイヤレスネットワーク４００全体にわたって分散され得、各端末は固定でも移動でもよい。端末は、アクセス端末（ＡＴ）、移動局（ＭＳ）、ユーザ機器（ＵＥ）、加入者ユニット、または他の適切な用語で呼ばれることもある。端末は、セルラー電話、携帯情報端末（ＰＤＡ）、ワイヤレスモデム、ワイヤレス通信デバイス、ハンドヘルドデバイス、ラップトップコンピュータ、ネットブック、コードレス電話、ワイヤレスローカルループ（ＷＬＬ）局などであり得る。端末は、ダウンリンクおよびアップリンクを介して基地局と通信し得る。ダウンリンク（または順方向リンク）は、基地局から端末への通信リンクを指し、アップリンク（または逆方向リンク）は、端末から基地局への通信リンクを指す。
【００３１】
端末は、マクロ基地局、ピコ基地局、フェムト基地局、および／または他のタイプの基地局と通信することが可能であり得る。図４では、両矢印の実線は、ダウンリンクおよび／またはアップリンク上の、端末と端末にサービスするように指定された基地局であるサービング基地局との間の所望の送信を示す。両矢印の破線は、端末と基地局との間の干渉送信を示す。干渉基地局は、ダウンリンク上で端末への干渉を引き起こし、および／またはアップリンク上で端末からの干渉を観測する基地局である。
【００３２】
ワイヤレスネットワーク４００は、同期または非同期動作をサポートし得る。同期動作では、基地局は同じフレームタイミングを有し得、異なる基地局からの送信は時間的に整合され得る。非同期動作では、基地局は異なるフレームタイミングを有することがあり、異なる基地局からの送信は時間的に整合されないことがある。非同期動作は、屋内に展開され得るピコ基地局およびフェムト基地局ではより一般的であり得、ＧＰＳ（Ｇｌｏｂａｌ  Ｐｏｓｉｔｉｏｎｉｎｇ  Ｓｙｓｔｅｍ）などの同期ソースにアクセスできないことがある。
【００３３】
一態様では、システム容量を改善するために、それぞれの基地局４１０ａ〜４１０ｃに対応するカバレージエリア４０２ａ、４０２ｂ、または４０２ｃは、複数のより小さいエリア（たとえば、エリア４０４ａ、４０４ｂ、および４０４ｃ）に区分され得る。より小さいエリア４０４ａ、４０４ｂ、および４０４ｃの各々は、それぞれのベーストランシーバサブシステム（ＢＴＳ、図示せず）によってサービスされ得る。本明細書および当技術分野で一般に使用する「セクタ」という用語は、この用語が使用される文脈に応じて、ＢＴＳおよび／またはそのカバレージエリアを指すことがある。一例では、セル４０２ａ、４０２ｂ、４０２ｃ中のセクタ４０４ａ、４０４ｂ、４０４ｃは、基地局４１０におけるアンテナのグループ（図示せず）によって形成され得、アンテナの各グループは、セル４０２ａ、４０２ｂ、または４０２ｃの一部分において端末４２０との通信を受け持つ。たとえば、セル４０２ａにサービスする基地局４１０は、セクタ４０４ａに対応する第１のアンテナグループと、セクタ４０４ｂに対応する第２のアンテナグループと、セクタ４０４ｃに対応する第３のアンテナグループとを有することができる。だたし、本明細書で開示する様々な態様は、セクタ化されたセルおよび／またはセクタ化されていないセルを有するシステムにおいて使用され得ることを諒解されたい。さらに、任意の数のセクタ化されたセルおよび／またはセクタ化されていないセルを有するすべての好適なワイヤレス通信ネットワークは、本明細書に添付の特許請求の範囲内に入るものとすることを諒解されたい。簡単のために、本明細書で使用する「基地局」という用語は、セクタにサービスする局ならびにセルにサービスする局の両方を指すことがある。本明細書で使用する、独立リンクシナリオにおけるダウンリンクセクタはネイバーセクタであることを諒解されたい。以下の説明は、概して、各端末が簡単のために１つのサービングアクセスポイントと通信するシステムに関するが、端末は任意の数のサービングアクセスポイントと通信することができることを諒解されたい。
【００３４】
図５に、１つまたは複数のフェムトノードがネットワーク環境内に展開された例示的な通信システム５００を示す。特に、システム５００は、比較的小規模のネットワーク環境中に（たとえば、１つまたは複数のユーザ住居５３０中に）設置された複数のフェムトノード５１０（たとえば、フェムトノード５１０ａおよび５１０ｂ）を含み得る。各フェムトノード５１０は、ＤＳＬルータ、ケーブルモデム、ワイヤレスリンク、または他の接続手段（図示せず）を介して、ワイドエリアネットワーク５４０（たとえば、インターネット）およびモバイル事業者コアネットワーク５５０に結合され得る。以下で説明するように、各フェムトノード５１０は、関連するアクセス端末５２０（たとえば、アクセス端末５２０ａ）、および、オプションとして、外来アクセス端末５２０（たとえば、アクセス端末５２０ｂ）をサービスするように構成され得る。言い換えれば、フェムトノード５１０へのアクセスを制限し得、それによって、所与のアクセス端末５２０を、指定された（１つまたは複数の）（たとえば、ホーム）フェムトノード５１０のセットがサービスすることはあり得るが、指定されていないフェムトノード（たとえば、ネイバーのフェムトノード）がサービスすることはできない。
【００３５】
図６に、いくつかの追跡エリア６０２（またはルーティングエリアもしくはロケーションエリア）が画定されたカバレージマップ６００の例を示し、そのエリアの各々はいくつかのマクロカバレージエリア６０４を含む。本例では、追跡エリア６０２ａ、６０２ｂ、および６０２ｃに関連付けられたカバレージのエリアは太線によって示され、マクロカバレージエリア６０４は六角形によって表される。追跡エリア６０２はフェムトカバレージエリア６０６をも含む。この例では、フェムトカバレージエリア６０６の各々（たとえば、フェムトカバレージエリア６０６ｃ）は、マクロカバレージエリア６０４（たとえば、マクロカバレージエリア６０４ｂ）内に示されている。ただし、フェムトカバレージエリア６０６は、完全にマクロカバレージエリア６０４内にあるわけではないことを諒解されたい。実際には、多数のフェムトカバレージエリア６０６が所与の追跡エリア６０２またはマクロカバレージエリア６０４とともに画定され得る。また、１つまたは複数のピコカバレージエリア（図示せず）が所与の追跡エリア６０２またはマクロカバレージエリア６０４内に画定され得る。
【００３６】
再び図５を参照すると、フェムトノード５１０の所有者は、たとえば、３Ｇモバイルサービスなど、モバイル事業者コアネットワーク５５０を介して提供されるモバイルサービスに加入し得る。さらに、アクセス端末５２０は、マクロ環境と、より小規模の（たとえば、宅内）ネットワーク環境の両方で動作することが可能であり得る。言い換えれば、アクセス端末５２０の現在のロケーションに応じて、アクセス端末５２０は、モバイル事業者コアネットワーク５５０アクセスノード５６０によって、または、フェムトノード５１０のセットのいずれか１つ（たとえば、対応するユーザ住居５３０内に常駐するフェムトノード５１０ａおよび５１０ｂ）によってサービスされることがある。たとえば、加入者が自宅の外にいるとき、標準のマクロアクセスノード（たとえば、ノード５６０）によってサービスされ、自宅の中にいるとき、フェムトノード（たとえば、ノード５１０ａ）によってサービスされる。ここで、フェムトノード５１０は既存のアクセス端末５２０と後方互換性があることを諒解されたい。
【００３７】
フェムトノード５１０は、単一の周波数上に展開され得、または代替として、複数の周波数上に展開され得る。特定の構成に応じて、単一の周波数、あるいは複数の周波数のうちの１つまたは複数は、マクロノード（たとえば、ノード５６０）によって使用される１つまたは複数の周波数と重複することがある。
【００３８】
いくつかの態様では、アクセス端末５２０は、そのような接続性が可能であるときはいつでも、好適なフェムトノード（たとえば、アクセス端末５２０のホームフェムトノード）に接続するように構成され得る。たとえば、アクセス端末５２０がユーザの住居５３０内にあるときはいつでも、アクセス端末５２０がホームフェムトノード５１０のみと通信することが望ましいことがある。
【００３９】
いくつかの態様では、アクセス端末５２０がモバイル事業者コアネットワーク５５０内で動作しているが、（たとえば、好適ローミングリスト中で定義された）その最も好適なネットワーク上に常駐していない場合、アクセス端末５２０は、ベターシステムリセレクション（ＢＳＲ）を使用して、最も好適なネットワーク（たとえば、好適なフェムトノード５１０）を探索し続け、ベターシステムリセレクションでは、より良好なシステムが現在利用可能であるかどうかを判断するために利用可能なシステムの周期的スキャニングを行い、その後、そのような好適なシステムに関連付けようとする。捕捉エントリを用いて、アクセス端末５２０は、特定の帯域およびチャネルの探索を制限し得る。たとえば、最も好適なシステムの探索が周期的に繰り返され得る。好適なフェムトノード５１０が発見されると、アクセス端末５２０は、そのカバレージエリア内にキャンプするためにフェムトノード５１０を選択する。
【００４０】
フェムトノードは、いくつかの態様では、制限されることがある。たとえば、所与のフェムトノードは、いくつかのサービスをいくつかのアクセス端末のみに提供し得る。いわゆる制限（または限定）された関連付けを用いた展開では、所与のアクセス端末は、マクロセルモバイルネットワークと、フェムトノードの定義されたセット（たとえば、対応するユーザ住居５３０内に常駐するフェムトノード５１０）とによってのみサービスされ得る。いくつかの実装形態では、ノードは、少なくとも１つのノードにシグナリング、データアクセス、登録、ページング、またはサービスのうちの少なくとも１つを与えないように制限され得る。
【００４１】
いくつかの態様では、（限定加入者グループホームノードＢと呼ばれることもある）制限フェムトノードは、制限されたプロビジョニングされたアクセス端末のセットにサービスを提供するノードである。このセットは、必要に応じて、一時的にまたは永続的に拡大され得る。いくつかの態様では、限定加入者グループ（ＣＳＧ）は、アクセス端末の共通のアクセス制御リストを共有するアクセスノード（たとえば、フェムトノード）のセットとして定義され得る。領域中のすべてのフェムトノード（またはすべての制限フェムトノード）が動作するチャネルをフェムトチャネルと呼ぶことがある。
【００４２】
したがって、所与のフェムトノードと所与のアクセス端末との間には様々な関係が存在し得る。たとえば、アクセス端末の観点から、オープンフェムトノードは、制限された関連付けをもたないフェムトノードを指すことがある。制限フェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスし、またはその上で動作することを一時的に許可されるフェムトノードを指すことがある。外来フェムトノードは、おそらく非常事態（たとえば、９１１番）を除いて、アクセス端末がアクセスし、またはその上で動作することを許可されないフェムトノードを指すことがある。
【００４３】
制限フェムトノードの観点から、ホームアクセス端末は、制限フェムトノードへのアクセスを許可されるアクセス端末を指すことがある。ゲストアクセス端末は、制限フェムトノードへの一時的アクセスをもつアクセス端末を指すことがある。外来アクセス端末は、たとえば、おそらく９１１番などの非常事態を除いて、制限フェムトノードにアクセスする許可を有していないアクセス端末（たとえば、制限フェムトノードに登録する証明書または許可を有していないアクセス端末）を指すことがある。
【００４４】
便宜のために、本明細書の開示では、フェムトノードの文脈で様々な機能について説明する。ただし、ピコノードは、同じまたは同様の機能をより大きいカバレージエリアに提供し得ることを諒解されたい。たとえば、所与のアクセス端末に対して、ピコノードを制限すること、ホームピコノードを定義することなどが行われ得る。
【００４５】
ワイヤレス多元接続通信システムは、複数のワイヤレスアクセス端末のための通信を同時にサポートし得る。上述のように、各端末は、順方向リンクおよび逆方向リンク上での送信を介して１つまたは複数の基地局と通信し得る。順方向リンク（またはダウンリンク）は基地局から端末への通信リンクを指し、逆方向リンク（またはアップリンク）は端末から基地局への通信リンクを指す。この通信リンクは、単入力単出力システム（ＳＩＳＯ）、多入力多出力（ＭＩＭＯ）システム、または何らかの他のタイプのシステムを介して確立され得る。
【００４６】
図７を参照すると、一態様による多元接続ワイヤレス通信システムが示されている。アクセスポイント（ＡＰ）７００は、複数のアンテナグループを含み、あるアンテナグループは７０７と７０６とを含み、別のアンテナグループは、７０８と７１０とを含み、追加のアンテナグループは、７１２と７１４とを含む。図７では、アンテナグループごとに２つのアンテナのみが示されているが、アンテナグループごとにより多いまたはより少ないアンテナが利用され得る。アクセス端末（ＡＴ）７１６はアンテナ７１２および７１４と通信中であり、アンテナ７１２および７１４は、順方向リンク（またはダウンリンク）７２０上でアクセス端末７１６に情報を送信し、逆方向リンク（またはアップリンク）７１８上でアクセス端末７１６から情報を受信する。アクセス端末（ＡＴ）７２２はアンテナ７０６および７０８と通信中であり、アンテナ７０６および７０８は、順方向リンク（またはダウンリンク）７２６上でアクセス端末７２２に情報を送信し、逆方向リンク（またはアップリンク）７２４上でアクセス端末７２２から情報を受信する。ＦＤＤシステムでは、通信リンク７１８、７２０、７２４および７２６は、通信のための異なる周波数を使用し得る。たとえば、順方向リンク７２０は、逆方向リンク７１８によって使用される周波数とは異なる周波数を使用し得る。
【００４７】
アンテナの各グループ、および／またはアンテナが通信するために設計されたエリアは、しばしば、アクセスポイントのセクタと呼ばれる。本態様では、アンテナグループはそれぞれ、アクセスポイント７００によってカバーされるエリアのセクタ内でアクセス端末に通信するように設計される。
【００４８】
順方向リンク７２０および７２６上の通信では、アクセスポイント７００の送信アンテナは、異なるアクセス端末７１６および７２２に対して順方向リンクの信号対雑音比を改善するためにビームフォーミングを利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００４９】
アクセスポイントは、端末との通信に使用される固定局でもよく、アクセスポイント、ノードＢ、進化型ノードＢ（ｅＮＢ）、または何らかの他の用語で呼ばれることもある。アクセス端末は、ユーザ機器（ＵＥ）、モバイルデバイス、ワイヤレス通信デバイス、端末、または何らかの他の用語で呼ばれることもある。
【００５０】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生じる追加の次元数が利用された場合、ＭＩＭＯシステムは改善された性能（たとえば、より高いスループットおよび／またはより大きい信頼性）を与え得る。
【００５１】
ＭＩＭＯシステムは時分割複信（ＴＤＤ）および周波数分割複信（ＦＤＤ）をサポートし得る。ＴＤＤシステムでは、順方向および逆方向リンク送信が同一周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００５２】
本明細書の教示は、少なくとも１つの他のノードと通信するための様々な構成要素を採用するノードに組み込まれ得る。図８に、ノード間の通信を可能にするために採用され得るいくつかの例示的な構成要素を示す。特に、図８に、ＭＩＭＯシステム８００のワイヤレスデバイス８１０（たとえば、アクセスポイント）とワイヤレスデバイス８５０（たとえば、アクセス端末またはＵＥ）とを示す。デバイス８１０では、いくつかのデータストリームのトラフィックデータが、データソース８１２から送信（ＴＸ）データプロセッサ８１４に供給される。
【００５３】
いくつかの態様では、各データストリームは、それぞれの送信アンテナを介して送信される。ＴＸデータプロセッサ８１４は、符号化データを供給するために、そのデータストリーム用に選択された特定の符号化方式に基づいて、データストリームごとにトラフィックデータをフォーマットし、符号化し、インターリーブする。
【００５４】
各データストリームのコード化されたデータは、ＯＦＤＭ技法を使用してパイロットデータで多重化され得る。パイロットデータは、典型的には、既知の方法で処理され、チャネル応答値を推定するために受信機システムにおいて使用され得る、既知のデータパターンである。次いで、各データストリームの多重化されたパイロットデータおよび符号化データは、変調シンボルを与えるために、そのデータストリーム用に選択された特定の変調方式（たとえば、２相位相変調（ＢＰＳＫ）、４相位相変調（ＱＰＳＫ）、多値位相変調（Ｍ−ＰＳＫ）、多値直交振幅変調（Ｍ−ＱＡＭ））に基づいて変調（すなわち、シンボルマッピング）される。各データストリームのデータレート、符号化、および変調は、プロセッサ８３０によって実行される命令によって判断され得る。データメモリ８３２は、プロセッサ８３０またはデバイス８１０の他の構成要素によって使用されるプログラムコード、データ、および他の情報を記憶し得る。
【００５５】
次いで、すべてのデータストリームの変調シンボルがＴＸ  ＭＩＭＯプロセッサ８２０に供給され、ＴＸ  ＭＩＭＯプロセッサ８２０はさらに（たとえば、直交周波数分割多重（ＯＦＤＭ）用に）その変調シンボルを処理し得る。次いで、ＴＸ  ＭＩＭＯプロセッサ８２０は、ＮT個の変調シンボルストリームを、各々が送信機（ＴＭＴＲ）と受信機（ＲＣＶＲ）とを有するＮT個のトランシーバ（「ＸＣＶＲ」）８２２ａ〜８２２ｔに供給する。いくつかの態様では、ＴＸ  ＭＩＭＯプロセッサ８２０は、データストリームのシンボルと、シンボルの送信元のアンテナとにビームフォーミング重みを適用する。
【００５６】
各トランシーバ８２２ａ〜８２２ｔは、それぞれのシンボルストリームを受信し、処理して、１つまたは複数のアナログ信号を生成し、さらに、それらのアナログ信号を調整（たとえば、増幅、フィルタ処理、およびアップコンバート）して、ＭＩＭＯチャネルを介して送信するのに適した変調信号を与える。次いで、トランシーバ８２２ａ〜８２２ｔからのＮT個の変調信号は、それぞれ、ＮT個のアンテナ８２４ａ〜８２４ｔから送信される。
【００５７】
デバイス８５０では、送信された変調信号はＮR個のアンテナ８５２ａ〜８５２ｒによって受信され、各アンテナ８５２ａ〜８５２ｒからの受信信号は、受信機（ＲＣＶＲ）と送信機（ＴＭＴＲ）とを有するそれぞれのトランシーバ８５４ａ〜８５４ｒに供給される。各トランシーバ８５４ａ〜８５４ｒは、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００５８】
次いで、受信（ＲＸ）データプロセッサ８６０は、特定の受信機処理技法に基づいてＮR個のトランシーバ８５４ａ〜８５４ｒからＮR個の受信シンボルストリームを受信し、処理して、ＮT個の「検出」シンボルストリームを与える。次いで、ＲＸデータプロセッサ８６０は、各検出シンボルストリームを復調し、デインターリーブし、復号化して、データストリームのトラフィックデータを復元する。ＲＸデータプロセッサ８６０による処理は、デバイス８１０におけるＴＸ  ＭＩＭＯプロセッサ８２０およびＴＸデータプロセッサ８１４によって実行される処理を補足するものである。
【００５９】
プロセッサ８７０は、どのプリコーディング行列を使用すべきかを定期的に判断する。プロセッサ８７０は、行列インデックス部とランク値部とを備える逆方向リンクメッセージを作成する。データメモリ８７２は、プロセッサ８７０またはデバイス８５０の他の構成要素によって使用されるプログラムコード、データ、および他の情報を記憶し得る。
【００６０】
逆方向リンクメッセージは、通信リンクおよび／または受信データストリームに関する様々なタイプの情報を備え得る。次いで、逆方向リンクメッセージは、データソース８３６からいくつかのデータストリームのトラフィックデータをも受信するＴＸデータプロセッサ８３８によって処理され、変調器８８０によって変調され、トランシーバ８５４ａ〜８５４ｒによって調整され、デバイス８１０に戻される。
【００６１】
デバイス８１０では、デバイス８５０からの変調信号は、アンテナ８２４ａ〜８２４ｔによって受信され、トランシーバ８２２ａ〜８２２ｔによって調整され、復調器（ＤＥＭＯＤ）８４０によって復調され、ＲＸデータプロセッサ８４２によって処理されて、デバイス８５０によって送信された逆方向リンクメッセージが抽出される。次いで、プロセッサ８３０は、ビームフォーミング重みを判断するためにどのプリコーディング行列を使用すべきかを判断し、次いで、抽出されたメッセージを処理する。
【００６２】
図８はまた、通信構成要素が、干渉制御動作を実行する１つまたは複数の構成要素を含み得ることを示す。たとえば、干渉（ＩＮＴＥＲ）制御構成要素８９０は、デバイス８１０のプロセッサ８３０および／または他の構成要素と協働して、別のデバイス（たとえば、デバイス８５０）との間で信号を送信／受信し得る。同様に、干渉制御構成要素８９２は、プロセッサ８７０および／またはデバイス８５０の他の構成要素と協働して、別のデバイス（たとえば、デバイス８１０）との間で信号を送信／受信し得る。各デバイス８１０および８５０について、説明する構成要素の２つ以上の機能が単一の構成要素によって与えられ得ることを諒解されたい。たとえば、単一の処理構成要素が干渉制御構成要素８９０およびプロセッサ８３０の機能を提供し得、また、単一の処理構成要素が干渉制御構成要素８９２およびプロセッサ８７０の機能を提供し得る。
【００６３】
図９に、異なる電力制御方式が同じ総伝導電力を維持する場合、発生される他のセルへの干渉の量が異なり得ることを示す、アップリンク（ＵＬ）ＭＩＭＯ電力制御問題に関する電力制御関係９００を示す。たとえば、次のように、ＵＬ電力制御問題の抽象化について考える。一般的な電力制御シナリオを記述するための単純なモデルが次式によって与えられ得る。
【数１】
0005384739.tif 000002
【００６４】
上式で、Ｃは電力制御関数を指し、Ｐ1は第１のアンテナのＴｘ伝導電力を指し、Ｐ2は第２のアンテナのＴｘ伝導電力を指し、「ｓ．ｔ．」は付帯条件（subject to）を示し、Ｐtotは総Ｔｘ電力を指し、Ｐmax1およびＰmax2は、それぞれＰ1およびＰ2に対する最大限界を指し、Ｉoは経験される干渉レベルを指す。
【００６５】
一般的な最適化問題への有効なソリューションは、現在の電力制御設定が与えられれば、最適リンク性能を取得し得る。また、システムに注入される干渉が考慮され得る。また、バッテリー効率がモデル化され得る。
【００６６】
より特殊な最適化問題は様々な目的を対象とし得る。たとえば、物理アップリンク共有チャネル（ＰＵＳＣＨ）のための目的電力制御関数は、平均リンク容量を最大にすることを対象とし得る。さらなる例では、物理アップリンク制御チャネル（ＰＵＣＣＨ）のための目的電力制御関数は、平均ブロック誤り率（ＢＬＥＲ）を最小限に抑えることを対象とし得る。アップリンクにおいて、電力制御は、セル間干渉制御とセル内リンク適応の両方のために使用され得る。
【００６７】
図１０に、干渉制限ネットワーク１０００のための電力制御シナリオを示す。ＵＥ１００２は、一般に、サービングセル１００４に低電力で送信する。他のセル１００６への干渉は緊密に制御されるべきである。総放射電力制御が重要であることを、本開示の利益とともに諒解されたい。開ループダイバーシティまたは閉ループ空間多重化が活用されるときに、均衡放射電力、すなわち、均衡Ｒｘ信号対干渉雑音比（ＳＩＮＲ）が最良の性能を達成することが示され得る。
【００６８】
干渉制限シナリオにおける電力制御を記述するための単純なモデルが次式によって与えられ得る。
【数２】
0005384739.tif 000003
【００６９】
上式で、シンボルは、一般的な電力制御について上記で説明したように解釈され、αは電力制御係数を指す。干渉（Ｉo）はＰ1＋αＰ2に比例する。特に、干渉制限状態が適用するとき、総受信（Ｒｘ）信号対雑音比（ＳＩＮＲ）は一定になる。干渉制限状態の下で動作するとき、ＵＥは、近隣セルへの干渉を制限するために比較的低い電力レベルで送信すべきである。
【００７０】
図１１に、アップリンク電力が干渉によって制限されない状態の下のネットワーク１１００のための電力制御シナリオを示す。ＵＥ１１０２は、サービングセル１１０４に総伝導電力の効率的な使用において送信する。他のセル１１０６への干渉は小さく、したがって送信電力を制限しない。この状態の下で、リンク容量と電力増幅器（ＰＡ）効率との間でトレードオフするために送信電力制御が制御され得る。アップリンク送信電力が干渉によって制限されない状態の下で、ＡＧＩの補償は、必ずしも実行すべき最適戦略ではない。
【００７１】
サービングセル１１０４は、たとえば、性能評価のためのベースラインとして２ビットの量子化を使用して、ＵＥ１１０２に最適電力割り当てをシグナリングし得る。電力割り当ては、２つの送信アンテナをもつＵＥに、たとえば、座標ペア［０．７，０．３］、［０．５，０．５］、［０．３，０．７］、［０．１，０．９］のいずれか１つとしてシグナリングされ得、そのペアの第１の数は、第１の送信アンテナに向けられる電力の比率を示し、第２の数は、第２の送信アンテナに向けられる電力の比率を示す。
【００７２】
非干渉制限シナリオにおける電力制御を記述するための単純なモデルが次式によって与えられ得る。
【数３】
0005384739.tif 000004
【００７３】
上式で、シンボルは、一般的な電力制御および干渉制限制御シナリオについて上記で説明したように解釈される。特に、干渉および総送信（Ｔｘ）ＳＩＮＲは一定であり得る。
【００７４】
総送信電力制御方式とｅＮＢシグナリング電力制御方式とをサポートするために、ＵＥ１００２、１１０２は、各Ｔｘアンテナがそれ自体の電力制御ループを有し、したがってＡＧＩ補償をサポートすることができる、個別アンテナ電力制御を含むことができる。以下で説明する本開示の重点である総電力制御では、電力制御ループは、総伝導電力を制御する。ＡＧＩ補償を行うために追加のシグナリングが使用される。また、「ウォーターフィリング」などによる最適電力割り当てが実行され得る。
【００７５】
電力制御は、基地局、ｅＮＢまたはセルからの制御信号に応答してＵＥにおいて実行され得る。したがって、基地局は、電力制御がＵＥにおいてどのように実行されるかを判断し得る。
【００７６】
ＰＵＳＣＨ／ＳＲＳ電力制御：図１２において比較のために、３ＧＰＰ  ＬＴＥ（Ｒｅｌ．８）物理アップリンク共有チャネル（ＰＵＳＣＨ）電力制御を実行する単一アンテナＵＥ１２００について考える。ＵＥ  ＰＵＳＣＨ  Ｔｘ電力は次のように定義され得る。
【数４】
0005384739.tif 000005
【００７７】
上式で、Ｐcmaxは、ＵＥクラスに応じて最大許容電力を指し、ＭPUSCH（ｉ）は、アップリンク許可中で示される割り当てられたリソースブロックの数を指し、ＰO_PUSCH（ｊ）は、ＵＥ固有のパラメータを指し、α（ｊ）は、０．４から０．１ステップで１までと０との８つの値を有するセル固有のパスロス補償係数を指し、ＰＬは、基準信号受信電力（ＲＳＲＰ）測定値とシグナリングされた基準信号送信電力とからＵＥにおいて計算されるダウンリンクパスロスを指し、ΔTF（ｉ）は、無線リソース制御（ＲＲＣ）においてシグナリングされる値を指し、ｆ（ｉ）は、スケジューリングに応答して定義されるＵＥ固有の補正値を指す。
【００７８】
電力ヘッドルーム（ＰＨ）は、ＰcmaxとＰPUSCHとの差として定義され得る。ＵＥからの電力ヘッドルームレポートは、次のように、ＵＥ  Ｔｘ電力に関する情報をサービングｅＮＢに与えるために使用され得る。
【数５】
0005384739.tif 000006
【００７９】
上式で、シンボルは上記のように定義される。
【００８０】
単一の送信アンテナ１２０２があるので、総電力は、複数のＴｘアンテナによって与えられる選択肢なしに、そのＴｘアンテナ１２０２に伝導される。
【００８１】
サウンディング基準信号（ＳＲＳ）（広帯域チャネルサウンディング、ブロードバンドパイロットチャネル（ＢＰＩＣＨ）とも呼ばれる）に対する電力制御は、次のようにＰＵＳＣＨに従うことができる。
【数６】
0005384739.tif 000007
【００８２】
上式で、シンボル表記法は上記の式における使用に従う。
【００８３】
図１３に、それぞれのＴｘアンテナ１３０６、１３０８に対する異なるアンテナ利得をもつ対応する電力増幅器（ＰＡ）１３０２、１３０４を用いてＬＴＥ  Ａｄｖａｎｃｅｄ（ＬＴＥ−Ａ）におけるＰＵＳＣＨ電力制御を実行する複数の送信アンテナＵＥ１３００を示す。Ｔｘアンテナ「２」１３０８の利得がＴｘアンテナ「１」１３０６の利得の「Ｘ」倍であり、０＜Ｘ＜１である、ＡＧＩの存在下で、２つのＴｘアンテナ１３０６、１３０８からの２つのチャネルが直交し、アップリンク送信が干渉制限されないと仮定すると、ウォーターフィリングによって最適電力割り当てが達成され得る。たとえば、Ｔｘアンテナ「１」１３０６により多くの電力が投入され、Ｔｘアンテナ「２」１３０８により少ない電力が投入される。したがって、「Ｘ」が極めて小さいとき、Ｔｘアンテナ「１」１３０６にすべての電力が投入され得、これはほぼ最適である。ＡＧＩを緩和するための電力割り当ては、おそらく、Ｔｘアンテナ「１」１３０６により少ない電力を供給し、Ｔｘアンテナ「２」１３０８により多くの電力を供給して試みられ得るが、これは有効な手法であるとは考えられない。
【００８４】
図１４において、複数のＴｘアンテナＵＥ１４００は、総伝導電力を制御することによって次のように総電力制御を実行する。
【数７】
0005384739.tif 000008
【００８５】
上式で、ＰＬは、ＡＧＩが測定可能な非ゼロであるときは、受信アンテナのうちの１つにおけるＤＬパスロス推定値であり得、または、ＡＧＩが測定可能な非ゼロでないときは、すべての受信アンテナにわたるパスロス推定値の平均であり得る。送信アンテナの間での電力割り当ては、たとえば、両方のＴｘアンテナ１４０４、１４０６がアクティブであることを意味するデフォルト電力割り当て（０．５，０．５）であるか、Ｔｘアンテナ「２」１４０６のためのＰＡ２（図示せず）のみがアクティブであることを意味する（０．０，１．０）であるか、またはＴｘアンテナ「１」１４０４のためのＰＡ１（図示せず）のみがアクティブであることを意味する（１．０，０．０）であり得る。
【００８６】
追加の電力割り当て方式は、ＵＬ  ＭＩＭＯのためのダウンリンク制御情報（ＤＣＩ）においてＬ２レイヤを使用すること、またはグループ通知のための３／３Ａフォーマットを変更することなどによって動的に、あるいは物理ダウンリンク共有チャネル（ＰＤＳＣＨ）を介してＬ３シグナリングを使用することなどによって半静的に、ｅＮＢによってシグナリングされ得る。たとえば、（０．７，０．３）、（０．５，０．５）、（０．３，０．７）、（０．２，０．８）などの２ビットコードブックが使用され得、各ベクトルは、各送信アンテナに割り振られる電力の比率を示す。
【００８７】
より一般的には、ＬＴＥ−ＡにおけるＴｘアンテナｐの伝導電力は次のように計算され得る。
【数８】
0005384739.tif 000009
【００８８】
上式で、［η（０），η（１），．．．，η（ＮT−１）］Tは、上記の例によって示されるように、
【数９】
0005384739.tif 000010
【００８９】
を満たすシグナリングされた電力割り当てベクトルである。
【００９０】
この態様では、電力ヘッドルームレポートは、単一アンテナ（Ｒｅｌ．８）の場合について上記で説明したように、すべてのアンテナにわたる総電力のヘッドルームに関するものであり得る。さらに、ＵＥは、Ｌ３シグナリングまたは他の手段を介して、サービングｅＮＢとサービングｅＮＢに対する干渉近隣ｅＮＢとからの各アンテナのＲｘパスロスをレポートし得る。そのようなレポートは、サービングｅＮＢにおけるＴｘ  ＡＧＩの推定のためにｅＮＢにおいて使用され、アップリンク送信によってＵＥが近隣ｅＮＢに注入するであろう干渉レベルをサービングｅＮＢに通知し得る。したがって、ｅＮＢは、ＵＥへの電力制御シグナリングのために、レポートされた情報を使用し得る。
【００９１】
一態様では、ＴｘアンテナｐからのＳＲＳの送信電力の制御は、２つのオプションのうちの１つを使用して実行され得る。第１のオプションによれば、サウンディング電力の制御は、一度に１つのＴｘアンテナに対して実行され、ＳＲＳは次のように総ＰＵＳＣＨ電力に従う。
【数１０】
0005384739.tif 000011
【００９２】
第２のオプションによれば、サウンディング電力の制御は、次のように、等電力分割を使用して一度に２つ以上のＴｘアンテナ（すなわち、Ｎactiveアンテナ）に対して実行される。
【数１１】
0005384739.tif 000012
【００９３】
レポートされた電力ヘッドルームに従って、特定の電力割り当て方式の下で最適送信ランクとそのランクのための最良のプリコーディング行列とを選択するｅＮＢスケジューリングが実行され得る。それらのアンテナ選択ベクトルは正規化され、特殊プリコーディングベクトルとして扱われるべきである。
【００９４】
図１５に、Ｘ軸が総Ｒｘ  ＳＩＮＲである、ランク２送信のための干渉制限電力割り当てのグラフィカル容量比較１５００が示されている。ＡＧＩを補償すると容量が最大になることが観測され得る。
【００９５】
図１６に、Ｘ軸が総Ｒｘ  ＳＩＮＲである、ランク２送信のための非干渉制限電力割り当てのグラフィカル容量比較１６００が示されている。ＡＧＩを補償すると容量損失が生じ、ＵＥにおけるバッテリー電力消費がより多くなり得ることが観測され得る。
【００９６】
いくつかの実施形態では、ＵＥは、そのＰＡの動作効率をサービングｅＮＢにレポートし得る。ｅＮＢは、より大きいＵＥ電力消費効率を求めて、サービングｅＮＢにおいてスケジューリングを判断する際にＰＡ動作効率情報を使用し得る。たとえば、ＵＥがそれの最大値に近接して動作している場合、ＵＥは、オプションとしてそれ自体のＰＡ効率特性をレポートし得る。ＵＥは、詳細な特性をレポートする必要はなく、たとえば、効率曲線全体の代わりに、ＰＡ効率曲線中のほんのいくつかの主要なスイッチングポイントがレポートされ得る。たとえば、図１７に、例示的な電力増幅器（ＰＡ）効率曲線のグラフィカルプロット１７００を示す。選択されたポイント、たとえば、ポイント１７０２、１７０４、１７０６および１７０８をレポートすることは、電力制御のための十分な情報を与え得る。
【００９７】
図１８に、Ｘ軸がアンテナ当たりの平均トーンＲｘ  ＳＩＮＲである、ＡＧＩがないランク１送信のための非干渉制限電力割り当てのグラフィカル容量比較１８００が示されている。図１９に、Ｘ軸がアンテナごとの平均トーンＲｘ  ＳＩＮＲである、−３ｄＢのＡＧＩがあるランク１送信のための非干渉制限電力割り当てのグラフィカル容量比較１９００が示されている。ＡＧＩを補償すると電力損失が生じ得、これは、３ｄＢのＡＧＩの例示的な例では、約１．７６ｄＢの電力損失であることが観測され得る。
【００９８】
上記の利益によって、動的または半静的Ｔｘ電力割り当てを用いる総送信電力制御（ＴｏｔＴＰＣ）は、ＭＩＭＯ動作を用いるＰＵＳＣＨ電力制御のためのフレキシブルなソリューションを提供すると結論され得る。
【００９９】
干渉制限の場合、ＡＧＩ補償が望ましい。対照的に、非干渉制限の場合、最適電力割り当ては一般にＡＧＩを補償しない。
【０１００】
電力制御はまた、物理アップリンク制御チャネルを使用するアップリンク送信のために実行され得る。ベースラインとして、３ＧＰＰ  ＬＴＥ（Ｒｅｌ−８）におけるＰＵＣＣＨ電力制御について考え、ＵＥ  ＰＵＣＣＨ  Ｔｘ電力は、図２０に示す単一ＴｘアンテナＵＥ２０００の場合、  
【数１２】
0005384739.tif 000013
【０１０１】
によって与えられる。そのＴｘアンテナに総電力が伝導される。
【０１０２】
ＬＴＥ−ＡにおけるＰＵＣＣＨ電力制御はＭＩＭＯアップリンク送信に対処することができる。図２１に、複数の送信アップリンクのためのＰＵＣＣＨフォーマット１ａ  Ｔｘダイバーシティ性能のグラフィカルプロット２１００が与えられている。図２２に、複数の送信アップリンクのためのＰＵＣＣＨフォーマット２Ｔｘダイバーシティ性能のグラフィカルプロット２２００が与えられている。上記のシミュレーションにおいて、ＡＧＩは０であると仮定されることに留意されたい。一態様では、各アンテナが単入力多出力（ＳＩＭＯ）方式としてＲｘにおいて同じ平均ＳＮＩＲを有することができるとき、ダイバーシティ方式が適用されるべきである。
【０１０３】
同じ総伝導電力において、ＡＧＩが０よりも大きいとき、ダイバーシティ方式には受信機側ＳＮＲ損失がある。たとえば、各ＰＡにおいて等しい電力が伝導される場合、３ｄＢのＡＧＩはＲｘにおいて１．２５ｄＢのＳＮＩＲ損失を与える。さらに、３ｄＢのＡＧＩの補償は１．７６ｄＢのＳＮＲ損失を生じる。
【０１０４】
ＬＴＥ−Ａにおいて、ＰＵＣＣＨ電力制御は、  
【数１３】
0005384739.tif 000014
【０１０５】
に従って実行され得、Ｉschemeは、「モード」とも呼ばれる様々なＰＵＣＣＨ送信方式を指す。パスロス（ＰＬ）は、ＡＧＩが測定可能非ゼロである場合は、主アンテナにおいて推定され、ＡＧＩが測定可能非ゼロでない場合、たとえば、ＡＧＩが０である場合は、すべてのアンテナにわたって平均され得る。
【０１０６】
可能なＰＵＣＣＨ  Ｔｘ方式は、  
モード１：２３ｄＢｍの主アンテナを使用する単一アンテナ送信（Ｒｅｌ−８モード）、  
モード２：ダイバーシティのための複数のアンテナ送信（ＳＯＲＴ−異なるアンテナ上で情報を反復する）、  
モード３：異なるアンテナ上でジョイントコーディングが適用されるか、または単に各アンテナ上で情報の一部に対してＲｅｌ−８フォーマットを適用する、多重化のための複数のアンテナ送信、および  
モード４：プリコーディングがチャネル相関に依拠する、長期ランク１プリコーディングを用いる複数のアンテナ送信
を含む。
【０１０７】
ＰＵＣＣＨ  Ｔｘモード選択および電力制御は、ＵＥが干渉制限状態にあること、または干渉制限状態にないことに応答して実行され得る。干渉制限ＵＥの場合、電力制御は、ＡＧＩを補償する適切な電力割り当てとともにモード２、３、４のうちの１つを使用することによって同じ平均Ｒｘ  ＳＩＮＲを生じる。あらかじめ定義されたしきい値を下回るＡＧＩがある非干渉制限ＵＥの場合、ｅＮＢシグナリング電力割り当てとともにモード２、３、４のうちの１つが使用される。あらかじめ定義されたしきい値を上回るＡＧＩの場合、モード１が使用される。あらかじめ定義されたしきい値は、Ｒｘ  ＳＮＩＲ損失とダイバーシティ利得との間のトレードオフとして判断され得る。
【０１０８】
一態様では、総電力制御および電力割り当ては、ｅＮＢによって半静的にシグナリング（Ｌ３）され得、これは、たとえば、２ビット電力割り当てコードブックによってサポートされ得る。ＰＵＣＣＨに対する電力割り当ては別個に送られるべきであり、Ｔｘ方式が異なるため、ＰＵＳＣＨに対する電力割り当てとは異なり得る。ｅＮＢは、ＵＥの状態とＴｘモードとに従って、ＡＧＩを補償すべきか否かを判断した。
【０１０９】
上記の開示に一致して、アップリンク送信電力を制御するための方法２３００は、図２３によって示されるステップおよび動作を含み得る。方法２３００は、ＵＥと通信している基地局によって、または基地局と通信しているＵＥによって実行され得る。本方法は、ワイヤレス通信ネットワーク中のＵＥと通信しているプロセッサを使用して、そのＵＥの複数のアップリンクアンテナの送信電力を制御する。プロセッサは、ＵＥからの送信が近隣基地局との干渉制限状態にあるかどうかの判断に応答する（２３０２）。干渉制限状態が適用すると判断したことに応答して、プロセッサは、複数のアップリンクアンテナ間のアンテナ利得不均衡（ＡＧＩ）を補償するようにＵＥに命令する信号を与える（２３０４）。干渉制限状態が適用しないと判断したことに応答して、プロセッサは、複数のアップリンクアンテナに対する総電力制御を実行するようにＵＥに命令する信号を与える（２３０６）。
【０１１０】
方法２３００に一致して、図２４によってさらに示されるように、装置２４００は、ワイヤレス通信ネットワーク中のＵＥの複数のアップリンクアンテナの送信電力を制御するように機能し得る。装置２４００は、アップリンク送信電力が近隣セルに対して干渉制限状態にあると判断したことに応答して、複数の送信アンテナ間のＡＧＩをＵＥに補償させるための電子構成要素またはモジュール２４０２を備え得る。装置２４００は、アップリンク送信電力が近隣セルに対して干渉制限状態にないと判断したことに応答して、複数の送信アンテナに対する総電力制御をＵＥに実行させるための電子構成要素またはモジュール２４０４を備え得る。
【０１１１】
装置２４００は、オプションとして、装置２４００が汎用マイクロプロセッサとしてではなく通信ネットワークエンティティとして構成された場合、少なくとも１つのプロセッサを有するプロセッサモジュール２４１０を含み得る。そのような場合、プロセッサ２４１０は、バス２４１２または同様の通信結合を介してモジュール２４０２〜２４０４と動作可能に通信し得る。プロセッサ２４１０は、電気構成要素２４０２〜２４０４によって実行されるプロセスまたは機能の起動とスケジューリングとを実施し得る。
【０１１２】
関連する態様では、装置２４００は、移動局と通信するためのトランシーバモジュール２４１４を含み得る。トランシーバ２４１４の代わりにまたはトランシーバ２４１４とともに、スタンドアロンの受信機および／またはスタンドアロンの送信機が使用され得る。さらなる関連する態様では、装置２４００は、たとえば、メモリデバイス／モジュール２４１６など、情報を記憶するためのモジュールをオプションとして含み得る。コンピュータ可読媒体またはメモリモジュール２４１６は、バス２４１２などを介して装置２４００の他の構成要素に動作可能に結合され得る。メモリモジュール２４１６は、モジュール２４０２〜２４０４のプロセスおよびふるまい、およびそのサブコンポーネント、またはプロセッサ２４１０、または本明細書では開示する方法、およびワイヤレス通信のための他の動作を実施するためのコンピュータ可読命令およびデータを記憶するように適応され得る。メモリモジュール２４１６は、モジュール２４０２〜２４０４に関連する機能を実行するための命令を保持し得る。メモリ２４１６の外部のあるものとして図示されているが、モジュール２４０２〜２４０４は少なくとも部分的にメモリ２４１６の内部に存在し得ることを理解されたい。
【０１１３】
さらなる関連する態様では、メモリ２４１６は、プロセッサモジュール２４１０および／またはモジュール２４０２〜２４０４のうちのモジュールが、（ａ）複数のアップリンクアンテナを有するユーザ機器（ＵＥ）からのアップリンク送信が干渉制限状態にあると判断したことに応答して、複数のアップリンクアンテナ間のアンテナ利得不均衡（ＡＧＩ）を補償するようにＵＥに命令する信号を与えるステップと、（ｂ）ＵＥからのアップリンク送信が干渉制限状態にないと判断したことに応答して、複数のアップリンクアンテナに対する総電力制御を実行するようにＵＥに命令する信号を与えるステップとを備える方法を装置２４００に実行させるための実行コードをオプションとして含み得る。同様に、メモリ２４１６は、プロセッサモジュール２４１０が、図２３に関して上記で説明した方法２３００を装置２４００に実行させるための実行コードをオプションとして含み得る。
【０１１４】
上記の開示にさらに一致して、アップリンク送信電力を制御するための追加の動作２５００は、ＵＥからのアップリンク送信が干渉制限状態にあるとプロセッサが判断した場合、図２５によって示されるステップおよび動作を含み得る。これらの追加の動作２５００は、方法２３００の一部としてまたはそれに加えて実行され得る。したがって、動作２５００は、ＵＥと通信している基地局によって、または基地局と通信しているＵＥによって実行され得る。本方法および追加の動作は、ワイヤレス通信ネットワーク中のＵＥと通信しているプロセッサを使用して、そのＵＥの複数のアップリンクアンテナの送信電力を制御するために使用され得る。
【０１１５】
追加の動作は、ＵＥからのアップリンク送信が近隣セルに対して干渉制限状態にあると判断する（２５０２）ことを含み得る。追加の動作は、受信機ＳＩＮＲに応じて各送信アンテナからの放射電力を均衡させるようにＵＥに命令する（２５０４）信号を与えることを含み得る。追加の動作は、開ループダイバーシティ、閉ループ空間多重化を実行するようにＵＥに命令する（２５０８）信号を与えることを含み得る。
【０１１６】
追加の動作は、ＰＵＣＣＨに対する送信電力制御を実行するようにＵＥに命令する信号を与えることをさらに含み得る。ＵＥからのアップリンク送信が近隣セルに対して干渉制限状態にあると判断したことに応答して、追加の動作は、送信アンテナからの放射電力を均衡させるためにＡＧＩ補償を実行するようにＵＥに命令する（２５０９）ことを含み得る。
【０１１７】
追加の動作２５００に一致して、図２６によってさらに示されるように、装置２６００は、図２５に示す追加の動作を実行するように機能し得る。装置２６００は、上記で説明した装置２４００と統合され得、すなわち、単体装置の一部をなし得る。装置２６００は、ＵＥからのアップリンク送信が近隣セルに対して干渉制限状態にあると判断するための電子構成要素またはモジュール２６０２を備え得る。装置２６００は、受信機ＳＩＮＲに応じて各送信アンテナからの放射電力を均衡させるようにＵＥに命令する信号を与えるための電子構成要素またはモジュール２６０４を備え得る。装置２６００は、開ループダイバーシティ、閉ループ空間多重化を実行するようにＵＥに命令する信号を与えるための電子構成要素またはモジュール２６０８を備え得る。装置２６００は、ＰＵＣＣＨに対する送信電力制御を実行するために、送信アンテナからの放射電力を均衡させるためにＡＧＩ補償を実行するようにＵＥに命令するための電子構成要素またはモジュール２６０９を備え得る。
【０１１８】
装置２６００は、装置２６００が汎用マイクロプロセッサとしてではなく通信ネットワークエンティティとして構成された場合、少なくとも１つのプロセッサを有するプロセッサモジュール２６１０をオプションとして含み得る。そのような場合、プロセッサ２６１０は、バス２６１２または同様の通信結合を介してモジュール２６０２〜２６０９と動作可能に通信し得る。プロセッサ２６１０は、電気構成要素２６０２〜２６０９によって実行されるプロセスまたは機能の起動とスケジューリングとを実施し得る。
【０１１９】
関連する態様では、装置２６００は、移動局と通信するためのトランシーバモジュール２６１４を含み得る。トランシーバ２６１４の代わりにまたはトランシーバ２６１４とともに、スタンドアロンの受信機および／またはスタンドアロンの送信機が使用され得る。さらなる関連する態様では、装置２６００は、たとえば、メモリデバイス／モジュール２６１６など、情報を記憶するためのモジュールをオプションとして含み得る。コンピュータ可読媒体またはメモリモジュール２６１６は、バス２６１２などを介して装置２６００の他の構成要素に動作可能に結合され得る。メモリモジュール２６１６は、モジュール２６０２〜２６０４のプロセスおよび振る舞い、およびそのサブコンポーネント、またはプロセッサ２６１０、または本明細書では開示する方法、およびワイヤレス通信のための他の動作を実施するためのコンピュータ可読命令およびデータを記憶するように適応され得る。メモリモジュール２６１６は、モジュール２６０２〜２６０４に関連する機能を実行するための命令を保持し得る。メモリ２６１６の外部のあるものとして図示されているが、モジュール２６０２〜２６０４は少なくとも部分的にメモリ２６１６の内部に存在し得ることを理解されたい。
【０１２０】
さらなる関連する態様では、メモリ２６１６は、プロセッサモジュール２６１０および／またはモジュール２６０２〜２６０４のうちのモジュールが、図２５に関して説明した１つまたは複数の追加の行為２５００とともに、図２３に関して上記で説明した方法２３００を装置２６００に実行させるための実行コードをオプションとして含み得る。
【０１２１】
上記の開示にさらに一致して、アップリンク送信電力を制御するための追加の動作２７００は、ＵＥからのアップリンク送信が干渉制限状態にないとプロセッサが判断した場合、図２７によって示されるステップおよび動作を含み得る。これらの追加の動作２７００は、方法２３００の一部としてまたはそれに加えて実行され得る。したがって、動作２７００は、基地局とＵＥとの間で実行され得る。本方法および追加の動作は、ワイヤレス通信ネットワーク中のＵＥと通信しているプロセッサを使用して、そのＵＥの複数のアップリンクアンテナの送信電力を制御するために使用され得る。
【０１２２】
追加の動作は、ＵＥからのアップリンク送信が干渉制限状態にないと判断すること（２７０２）を含み得る。追加の動作は、総電力制御（ＴＰＣ）を実行するようにＵＥに命令する信号を与えること（２７０４）を含み得る。追加の動作は、送信ＳＩＮＲを維持するために総電力制御を実行するようにＵＥに命令する信号を与えること（２７０６）を含み得る。追加の動作は、複数の送信アンテナ間の電力割り当てを示すためにシグナリングすること（２７０８）を含み得る。追加の動作は、電力割り当てを示すために量子化信号を与えること（２７２０）を含み得る。追加の動作は、ウォーターフィリング手法によって複数の送信アンテナに対する電力割り当てを実行するようにＵＥに命令する（２７２２）信号を与えることを含み得る。追加の動作は、ＰＵＳＣＨの総送信電力に従うサウンディング基準信号を用いて一度に１つの送信アンテナをサウンディングすることによって、サウンディング基準信号に対する総電力制御を実行するようにＵＥに命令する（２７２４）信号を与えることを含み得る。追加の動作は、等電力分割を用いて一度に２つ以上の送信アンテナをサウンディングすることによって、サウンディング基準信号に対する総電力制御を実行するようにＵＥに命令する（２７２６）信号を与えることを含み得る。追加の動作は、受信機ＳＩＮＲ損失とダイバーシティ利得との間のトレードオフを達成するために、ＡＧＩが所定のしきい値を下回ると判断したことに応答して複数の送信アンテナに対する電力割り当てを実行するようにＵＥに命令する（２７２８）信号を与えることを含み得る。さらに、追加の動作は、ＡＧＩが所定のしきい値を上回ると判断したことに応答して単一アンテナ送信を実行するようにＵＥに命令する（２７３０）信号を与えることを含み得る。追加の動作は、ノードからのＬ３レイヤシグナリングを介して半静的にシグナリングされる総電力制御と電力割り当てとを実行するようにＵＥに命令する（２７３２）信号を与えることを含み得る。
【０１２３】
追加の動作２７００に一致して、図２８によってさらに示されるように、装置２８００は、図２７に示す追加の動作を実行するように機能し得る。装置２８００は、上記で説明した装置２４００と統合され得、すなわち、装置２４００とともに単体装置の一部をなし得る。装置２８００は、ＵＥからのアップリンク送信が干渉制限状態にないと判断するための電子構成要素またはモジュール２８０２を備え得る。装置２８００は、総電力制御（ＴＰＣ）を実行するようにＵＥに命令する信号を与えるための電子構成要素またはモジュール２８０４を備え得る。装置２８００は、送信ＳＩＮＲを維持するために総電力制御を実行するようにＵＥに命令する信号を与えるための電子構成要素またはモジュール２８０６を備え得る。装置２８００は、複数の送信アンテナ間の電力割り当てを示す信号を与えるための電子構成要素またはモジュール２８０８を備え得る。装置２８００は、電力割り当てを示す量子化信号を与えるための電子構成要素またはモジュール２８２０を備え得る。装置２８００は、ウォーターフィリング手法によって複数の送信アンテナに対する電力割り当てを実行するようにＵＥに命令する信号を与えるための電子構成要素またはモジュール２８２２を備え得る。装置２８００は、ＰＵＳＣＨの総送信電力に従うサウンディング基準信号を用いて一度に１つの送信アンテナをサウンディングすることによって、サウンディング基準信号に対する総電力制御を実行するようにＵＥに命令する信号を与える電子構成要素またはモジュール２７２４を備え得る。装置２８００は、等電力分割を用いて一度に２つ以上の送信アンテナをサウンディングすることによって、サウンディング基準信号に対する総電力制御を実行するようにＵＥに命令する信号を与えるための電子構成要素またはモジュール２８２６を備え得る。装置２８００は、受信機ＳＩＮＲロスとダイバーシティ利得との間のトレードオフを達成するために、ＡＧＩが所定のしきい値を下回ると判断したことに応答して複数の送信アンテナに対する電力割り当てを実行するようにＵＥに命令する信号を与えるための電子構成要素またはモジュール２８２８を備え得る。さらに、装置２８００は、ＡＧＩが所定のしきい値を上回ると判断したことに応答して単一アンテナ送信を実行するようにＵＥに命令する信号を与えるための電子構成要素またはモジュール２８３０を備え得る。装置２８００は、ノードからのＬ３レイヤシグナリングを介して半静的にシグナリングされる総電力制御と電力割り当てとを実行するようにＵＥに命令する信号を与えるための電子構成要素またはモジュール２８３２を備え得る。
【０１２４】
装置２８００は、装置２８００が汎用マイクロプロセッサとしてではなく通信ネットワークエンティティとして構成された場合、少なくとも１つのプロセッサを有するプロセッサモジュール２８１０をオプションとして含み得る。そのような場合、プロセッサ２８１０は、バス２８１２または同様の通信結合を介してモジュール２８０２〜２８３２と動作可能に通信し得る。プロセッサ２８１０は、電気構成要素２８０２〜２８３２によって実行されるプロセスまたは機能の起動とスケジューリングとを実施し得る。
【０１２５】
関連する態様では、装置２８００は、移動局と通信するためのトランシーバモジュール２８１４を含み得る。トランシーバ２８１４の代わりにまたはトランシーバ２８１４とともに、スタンドアロン受信機および／またはスタンドアロン送信機が使用され得る。さらなる関連する態様では、装置２８００は、たとえば、メモリデバイス／モジュール２８１６など、情報を記憶するためのモジュールをオプションとして含み得る。コンピュータ可読媒体またはメモリモジュール２８１６は、バス２８１２などを介して装置２８００の他の構成要素に動作可能に結合され得る。メモリモジュール２８１６は、モジュール２８０２〜２８３２のプロセスおよび振る舞い、およびそのサブコンポーネント、またはプロセッサ２８１０、または本明細書では開示する方法、およびワイヤレス通信のための他の動作を実施するためのコンピュータ可読命令およびデータを記憶するように適応され得る。メモリモジュール２８１６は、モジュール２８０２〜２８３２に関連する機能を実行するための命令を保持し得る。メモリ２８１６の外部のあるものとして図示されているが、モジュール２８０２〜２８３２は少なくとも部分的にメモリ２８１６の内部に存在し得ることを理解されたい。
【０１２６】
さらなる関連する態様では、メモリ２８１６は、プロセッサモジュール２８１０および／またはモジュール２８０２〜２８３２のうちのモジュールが、図２７に関して説明した１つまたは複数の追加の行為２７００とともに、図２３に関して上記で説明した方法２３００を装置２８００に実行させるための実行コードをオプションとして含み得る。
【０１２７】
上記の開示にさらに一致して、アップリンク送信電力を制御するための追加の動作２９００は、ＵＥからのアップリンク送信が干渉制限状態にあるか、そのような状態にないかをプロセッサが判断するか否かにかかわらず、図２９によって示されるステップおよび動作を含み得る。これらの追加の動作２９００は、方法２３００の一部としてまたはそれに加えて実行され得る。したがって、動作２９００は、ＵＥと通信している基地局によって、または基地局と通信しているＵＥによって実行され得る。本方法および追加の動作は、ワイヤレス通信ネットワーク中のＵＥと通信しているプロセッサを使用して、そのＵＥの複数のアップリンクアンテナの送信電力を制御するために使用され得る。
【０１２８】
追加の動作は、ＰＵＳＣＨに対する送信電力制御を実行するようにＵＥに命令する信号を与えること（２９０２）を含み得る。追加の動作は、ＰＵＣＣＨに対する送信電力制御を実行するようにＵＥに命令する信号を与えること（２９０４）を含み得る。追加の動作は、複数の受信アンテナにおける総電力ヘッドルームと受信ＡＧＩとに関するレポートを送信するようにＵＥに命令する信号を与えること（２９０６）を含み得る。追加の動作は、複数の受信アンテナの間の測定されたダウンリンクパスロス差に関するレポートを送信するようにＵＥに命令する信号を与えること（２９０８）を含み得る。
【０１２９】
追加の動作２９００に一致して、図３０によってさらに示されるように、装置３０００は、図２９に示す追加の動作を実行するように機能し得る。装置３０００は、上記で説明した装置２４００と統合され得、すなわち、装置２４００とともに単体装置の一部をなし得る。装置３０００は、ＰＵＳＣＨに対する送信電力制御を実行するようにＵＥに命令する信号を与えるための電子構成要素またはモジュール３００２を備え得る。装置３０００は、ＰＵＣＣＨに対する送信電力制御を実行するようにＵＥに命令する信号を与えるための電子構成要素またはモジュール３００４を備え得る。装置３０００は、複数の受信アンテナにおける総電力ヘッドルームと受信ＡＧＩとに関するレポートを送信するようにＵＥに命令する信号を与えるための電子構成要素またはモジュール３００６を備え得る。装置３０００は、複数の受信アンテナの間の測定されたダウンリンクパスロス差に関するレポートを送信するようにＵＥに命令する信号を与えるための電子構成要素またはモジュール３００８を備え得る。
【０１３０】
装置３０００は、装置３０００が汎用マイクロプロセッサとしてではなく通信ネットワークエンティティとして構成された場合、少なくとも１つのプロセッサを有するプロセッサモジュール３０１０をオプションとして含み得る。そのような場合、プロセッサ３０１０は、バス３０１２または同様の通信結合を介してモジュール３００２〜３００８と動作可能に通信し得る。プロセッサ３０１０は、電気構成要素３００２〜３００８によって実行されるプロセスまたは機能の起動とスケジューリングとを実施し得る。
【０１３１】
関連する態様では、装置３０００は、移動局と通信するためのトランシーバモジュール３０１４を含み得る。トランシーバ３０１４の代わりにまたはトランシーバ３０１４とともに、スタンドアロン受信機および／またはスタンドアロン送信機が使用され得る。さらなる関連する態様では、装置３０００は、たとえば、メモリデバイス／モジュール３０１６など、情報を記憶するためのモジュールをオプションとして含み得る。コンピュータ可読媒体またはメモリモジュール３０１６は、バス３０１２などを介して装置３０００の他の構成要素に動作可能に結合され得る。メモリモジュール３０１６は、モジュール３００２〜３００８のプロセスおよび振る舞い、およびそのサブコンポーネント、またはプロセッサ３０１０、または本明細書では開示する方法、およびワイヤレス通信のための他の動作を実施するためのコンピュータ可読命令およびデータを記憶するように適応され得る。メモリモジュール３０１６は、モジュール３００２〜３００８に関連する機能を実行するための命令を保持し得る。メモリ３０１６の外部のあるものとして図示されているが、モジュール３００２〜３００８は少なくとも部分的にメモリ３０１６の内部に存在し得ることを理解されたい。
【０１３２】
さらなる関連する態様では、メモリ３０１６は、プロセッサモジュール３０１０および／またはモジュール３００２〜３００８のうちのモジュールが、図２９に関して説明した１つまたは複数の追加の行為２９００とともに、図２３に関して上記で説明した方法２３００を装置３０００に実行させるための実行コードをオプションとして含み得る。
【０１３３】
上記の開示に一致して、アップリンク送信電力を制御するための方法３１００は、図２３によって示されるステップおよび動作を含み得る。方法３１００は、ＵＥと通信している基地局によって、または基地局と通信しているＵＥによって実行され得る。方法３１００は、ワイヤレス通信ネットワーク中のＵＥと通信しているプロセッサを使用して、たとえば、ＵＥの複数のアップリンクアンテナからのアップリンク送信においてアンテナ電力を制御するための制御パラメータをＵＥに与えることによって、そのＵＥの複数のアップリンクアンテナの送信電力を制御するために使用され得る。方法３１００は、ＵＥから、複数のアップリンクアンテナの総電力ヘッドルームとＡＧＩとを特徴づけるレポートを受信すること（３１０２）を含み得る。方法３１００は、上記の説明でより詳細に説明したように、レポートに応答して、電力割り当て方式と、送信ランクと、プリコーディング行列とを判断すること（３１０４）を含み得る。方法３１００は、アップリンク送信のために使用する電力割り当て方式と、送信ランクと、プリコーディング行列とをユーザ機器に送信すること（３１０６）を含み得る。オプションとして、方法３１００はまた、正規化ベクトルを与えるために複数のアンテナ選択ベクトルを正規化し、その正規化ベクトルを特殊プリコーディングベクトルとして使用すること（３１０８）を含み得る。
【０１３４】
方法３１００に一致して、図３２によってさらに示されるように、装置３２００は、ワイヤレス通信ネットワーク中のＵＥの複数のアップリンクアンテナの送信電力を制御するように機能し得る。装置３２００は、ＵＥから、複数のアップリンクアンテナの総電力ヘッドルームとＡＧＩとを特徴づけるレポートを受信するための電子構成要素またはモジュール３２０２を備え得る。装置２４００は、上記の説明中の詳細に従って、レポートに応答して、電力割り当て方式と、送信ランクと、プリコーディング行列とを判断するための電子構成要素またはモジュール３２０４を備え得る。装置２４００は、アップリンク送信のために使用する電力割り当て方式と、送信ランクと、プリコーディング行列とをユーザ機器に送信するための電子構成要素またはモジュール３２０６を備え得る。オプションとして、装置３２００はまた、正規化ベクトルを与えるために複数のアンテナ選択ベクトルを正規化し、その正規化ベクトルを特殊プリコーディングベクトルとして使用するための電子構成要素またはモジュール３２０８を備え得る。
【０１３５】
装置３２００は、装置３２００が汎用マイクロプロセッサとしてではなく通信ネットワークエンティティとして構成された場合、少なくとも１つのプロセッサを有するプロセッサモジュール３２１０をオプションとして含み得る。そのような場合、プロセッサ３２１０は、バス３２１２または同様の通信結合を介してモジュール３２０２〜３２０８と動作可能に通信し得る。プロセッサ３２１０は、電気構成要素３２０２〜３２０８によって実行されるプロセスまたは機能の起動とスケジューリングとを実施し得る。
【０１３６】
関連する態様では、装置３２００は、移動局と通信するためのトランシーバモジュール３２１４を含み得る。トランシーバ３２１４の代わりにまたはトランシーバ３２１４とともに、スタンドアロン受信機および／またはスタンドアロン送信機が使用され得る。さらなる関連する態様では、装置３２００は、たとえば、メモリデバイス／モジュール３２１６など、情報を記憶するためのモジュールをオプションとして含み得る。コンピュータ可読媒体またはメモリモジュール３２１６は、バス３２１２などを介して装置３２００の他の構成要素に動作可能に結合され得る。メモリモジュール３２１６は、モジュール３２０２〜３２０８のプロセスおよび振る舞い、およびそのサブコンポーネント、またはプロセッサ３２１０、または本明細書では開示する方法、およびワイヤレス通信のための他の動作を実施するためのコンピュータ可読命令およびデータを記憶するように適応され得る。メモリモジュール３２１６は、モジュール３２０２〜３２０８に関連する機能を実行するための命令を保持し得る。メモリ３２１６の外部のあるものとして図示されているが、モジュール３２０２〜３２０８は少なくとも部分的にメモリ３２１６の内部に存在し得ることを理解されたい。
【０１３７】
さらなる関連する態様では、メモリ３２１６は、プロセッサモジュール３２１０および／またはモジュール３２０２〜３２０６のうちのモジュールが、（ａ）ＵＥから、複数のアップリンクアンテナの総電力ヘッドルームとＡＧＩとを特徴づけるレポートを受信するステップと、（ｂ）レポートに応答して、電力割り当て方式と、送信ランクと、プリコーディング行列とを判断するステップと、（ｃ）アップリンク送信のために使用する電力割り当て方式と、送信ランクと、プリコーディング行列とをユーザ機器に送信するステップとを備える方法を装置３２００に実行させるための実行コードをオプションとして含み得る。同様に、メモリ３２１６は、プロセッサモジュール３２１０が、図３１に関して上記で説明した方法３１００を装置３２００に実行させるための実行コードをオプションとして含み得る。
【０１３８】
明快のために、調整された伝導電力制御を用いる２つのＴｘアンテナをもつ様々な図を記載した。本明細書で説明した態様は、４つなど、他の数のＴｘアンテナに適用可能であることを本開示の利益とともに諒解されたい。さらに、本明細書で開示したいくつかの態様は、他のプロトコル、スケジュールされたシステムにおけるダウンリンク、またはアドホックネットワークにおけるピアリンクへの適用を有することができる。
【０１３９】
さらに、本明細書で開示した態様に関して説明した様々な例示的な論理ブロック、モジュール、回路、およびアルゴリズムステップは、電子ハードウェア、コンピュータソフトウェア、または両方の組合せとして実装され得ることを当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１４０】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、サーバ上で動作するアプリケーションと、そのサーバの両方を構成要素とすることができる。１つまたは複数の構成要素がプロセスおよび／または実行スレッド内に常駐し得、１つの構成要素を１つのコンピュータ上に配置し、および／または２つ以上のコンピュータ間に分散し得る。
【０１４１】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【０１４２】
様々な態様を、いくつかの構成要素やモジュールなどを含み得るシステムに関して提示する。様々なシステムは、追加の構成要素やモジュールなどを含むことも、および／または各図に関連して論じる構成要素やモジュールなどのすべてを含まないこともあることを理解および諒解されたい。本明細書で開示した様々な態様は、タッチスクリーンディスプレイ技術および／またはマウスおよびキーボードタイプインターフェースを利用するデバイスを含む、電気デバイス上で実行され得る。そのようなデバイスの例には、コンピュータ（デスクトップおよびモバイル）、スマートフォン、携帯情報端末（ＰＤＡ）、およびワイヤードとワイヤレスの両方の他の電子デバイスがある。
【０１４３】
さらに、本明細書で開示した態様に関連して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４４】
さらに、標準的なプログラミングおよび／またはエンジニアリング技法を使用して、開示した態様を実装するようにコンピュータを制御するためのソフトウェア、ファームウェア、ハードウェア、またはそれらの任意の組合せを生成する方法、装置、または製造品として１つまたは複数のバージョンを実装し得る。本明細書で使用する「製造品」（または代替的に「コンピュータプログラム製品」）という用語は、任意のコンピュータ可読デバイス、または媒体からアクセス可能なコンピュータプログラムを包含するものとする。たとえば、コンピュータ可読媒体は、非一時的コンピュータ可読媒体を含み得、磁気記憶デバイス（たとえば、ハードディスク、フロッピー（登録商標）ディスク、磁気ストリップ、または他の媒体）、光ディスク（たとえば、コンパクトディスク（ＣＤ）、デジタル多用途ディスク（ＤＶＤ）、または他の媒体）、スマートカード、およびフラッシュメモリデバイス（たとえば、カード、スティック）に限定されない。
【０１４５】
本明細書で開示した態様に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知の任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１４６】
開示した態様の前述の説明は、当業者が本開示を製作または使用できるように提供したものである。これらの態様への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
【０１４７】
上記で説明した例示的なシステムに鑑みて、開示した主題に従って実装され得る方法について、いくつかのフローチャートを参照しながら説明した。説明を簡単にするために、方法を一連のブロックとして図示および説明したが、いくつかのブロックは、本明細書で図示および説明したブロックとは異なる順序で、および／または他のブロックと同時に、行われ得るので、請求する主題はブロックの順序によって限定されないことを理解および諒解されたい。さらに、本明細書で説明した方法を実装するために、図示のすべてのブロックが必要とされるわけではない。さらに、本明細書で開示した方法は、そのような方法をコンピュータに移送および転送することを可能にするために製造品に記憶することが可能であることをさらに諒解されたい。本明細書で使用する製造品という用語は、任意のコンピュータ可読デバイス、キャリア、または媒体からアクセス可能なコンピュータプログラムを包含するものとする。
【０１４８】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明した開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
以下に本件出願当初の特許請求の範囲に記載された発明を付記する。
［Ｃ１］
ユーザ機器（ＵＥ）からのアップリンク送信が干渉制限状態にあるかどうかを判断することと、
前記アップリンク送信が前記干渉制限状態にあると判断したことに応答して、前記ＵＥの複数のアンテナ間のアンテナ利得不均衡（ＡＧＩ）を補償するように前記ＵＥに命令することと、
前記アップリンク送信が前記干渉制限状態にないと判断したことに応答して、前記複数のアンテナに対する総電力制御を実行するように前記ＵＥに命令することと
を備える、ワイヤレス通信のための方法。
［Ｃ２］
前記アップリンク送信が近隣セルに対して前記干渉制限状態にあると判断したことに応答して、
受信機信号対干渉雑音比（ＳＩＮＲ）に応じて各アンテナからの放射電力を均衡させるように前記ＵＥに命令することと、
開ループダイバーシティと閉ループ空間多重化とのうちの１つを実行するように前記ＵＥに命令することと
をさらに備える、［Ｃ１］に記載の方法。
［Ｃ３］
前記アップリンク送信が近隣セルに対して前記干渉制限状態にないと判断したことに応答して、
送信信号対干渉雑音比（ＳＩＮＲ）を維持するために総電力制御を実行するように前記ＵＥに命令することをさらに備える、
［Ｃ１］に記載の方法。
［Ｃ４］
前記複数のアンテナに対する電力割り当てを示すためにシグナリングすることをさらに備える、
［Ｃ３］に記載の方法。
［Ｃ５］
前記電力割り当てを示すために量子化信号を与えることをさらに備える、
［Ｃ４］に記載の方法。
［Ｃ６］
ウォーターフィリング手法によって前記複数のアンテナに対する電力割り当てを実行するように前記ＵＥに命令することをさらに備える、
［Ｃ１］に記載の方法。
［Ｃ７］
物理アップリンク共有チャネル（ＰＵＳＣＨ）に対する送信電力制御を実行するように前記ＵＥに命令することをさらに備える、
［Ｃ１］に記載の方法。
［Ｃ８］
物理アップリンク共有チャネル（ＰＵＳＣＨ）の総送信電力に従うサウンディング基準信号を用いて一度に１つのアンテナをサウンディングすることによって、前記サウンディング基準信号に対する総電力制御を実行するように前記ＵＥに命令することをさらに備える、
［Ｃ１］に記載の方法。
［Ｃ９］
等電力分割を用いて一度に２つ以上のアンテナをサウンディングすることによって、サウンディング基準信号に対する総電力制御を実行するように前記ＵＥに命令することをさらに備える、
［Ｃ１］に記載の方法。
［Ｃ１０］
物理アップリンク制御チャネル（ＰＵＣＣＨ）に対する送信電力制御を実行するように前記ＵＥに命令することをさらに備える、
［Ｃ１］に記載の方法。
［Ｃ１１］
前記アップリンク送信が近隣セルに対して前記干渉制限状態にないと判断したことに応答して、
受信機信号対干渉雑音比（ＳＩＮＲ）損失とダイバーシティ利得との間のトレードオフを達成するために、前記ＡＧＩが所定のしきい値を下回る場合、前記複数のアンテナに対する電力割り当てを実行するように前記ＵＥに命令することと、
前記ＡＧＩが前記所定のしきい値を上回る場合、単一アンテナ送信を実行するように前記ＵＥに命令することと
をさらに備える、［Ｃ１０］に記載の方法。
［Ｃ１２］
前記アップリンク送信が近隣セルに対して前記干渉制限状態にあると判断したことに応答して、
前記アンテナからの放射電力を均衡させるためにＡＧＩ補償を実行するように前記ＵＥに命令することをさらに備える、
［Ｃ１０］に記載の方法。
［Ｃ１３］
Ｌ３レイヤシグナリングを介して総電力制御と電力割り当てとを半静的に実行するように前記ＵＥに命令することをさらに備える、
［Ｃ１０］に記載の方法。
［Ｃ１４］
前記ＵＥから、複数の受信アンテナにおける総電力ヘッドルームと受信ＡＧＩとに関するレポートを受信することをさらに備える、
［Ｃ１］に記載の方法。
［Ｃ１５］
前記ＵＥから、複数の受信アンテナの間の測定されたダウンリンクパスロス差に関するレポートを受信することをさらに備える、
［Ｃ１］に記載の方法。
［Ｃ１６］
ワイヤレス通信ネットワーク中のユーザ機器（ＵＥ）からのアップリンク送信が干渉制限状態にあるという判断に応答して、前記ＵＥの複数のアンテナ間のアンテナ利得不均衡（ＡＧＩ）を補償するように前記ＵＥに命令することと、
前記ＵＥからのアップリンク送信が前記干渉制限状態にないという判断に応答して、前記複数のアンテナに対する総電力制御を実行するように前記ＵＥに命令することと
をコンピュータに行わせるためのコード化された命令を保持するコンピュータ可読記憶媒体。
［Ｃ１７］
前記ＵＥからの前記アップリンク送信が近隣セルに対して前記干渉制限状態にあると判断することと、
受信機信号対干渉雑音比（ＳＩＮＲ）に応じて各アンテナからの放射電力を均衡させるように前記ＵＥに命令することと、
開ループダイバーシティと閉ループ空間多重化とのうちの１つを実行するように前記ＵＥに命令することと
をコンピュータに行わせるためのコード化された命令をさらに保持する、［Ｃ１６］に記載のコンピュータ可読記憶媒体。
［Ｃ１８］
前記ＵＥからの前記アップリンク送信が近隣セルに対して前記干渉制限状態にないと判断することと、
送信信号対干渉雑音比（ＳＩＮＲ）を維持するために総電力制御を実行するように前記ＵＥに命令することと
をコンピュータに行わせるためのコード化された命令をさらに保持する、［Ｃ１６］に記載のコンピュータ可読記憶媒体。
［Ｃ１９］
ユーザ機器（ＵＥ）からのアップリンク送信が干渉制限状態にあるという判断に応答して、前記ＵＥの複数のアンテナ間のアンテナ利得不均衡（ＡＧＩ）を補償するように前記ＵＥに命令するための手段と、
前記ＵＥからのアップリンク送信が前記干渉制限状態にないという判断に応答して、前記複数のアンテナに対する総電力制御を実行するように前記ＵＥに命令するための手段と
を備える、ワイヤレス通信のための装置。
［Ｃ２０］
前記ＵＥからの前記アップリンク送信が近隣セルに対して前記干渉制限状態にあると判断するための手段と、
受信機信号対干渉雑音比（ＳＩＮＲ）に応じて各アンテナからの放射電力を均衡させるように前記ＵＥに命令するための手段と、
開ループダイバーシティと閉ループ空間多重化とのうちの１つを実行するように前記ＵＥに命令するための手段と
をさらに備える、［Ｃ１９］に記載の装置。
［Ｃ２１］
前記ＵＥからの前記アップリンク送信が近隣セルに対して前記干渉制限状態にないと判断するための手段と、
送信信号対干渉雑音比（ＳＩＮＲ）を維持するために総電力制御を実行するように前記ＵＥに命令するための手段と
をさらに備える、［Ｃ１９］に記載の装置。
［Ｃ２２］
ユーザ機器（ＵＥ）からのアップリンク送信が干渉制限状態にあるという判断に応答して、前記ＵＥの複数のアンテナ間のアンテナ利得不均衡（ＡＧＩ）を補償するように前記ＵＥに命令する信号を与えるための命令と、前記ＵＥからのアップリンク送信が前記干渉制限状態にないという判断に応答して、前記複数のアンテナに対する総電力制御を実行するように前記ＵＥに命令する信号を与えるための命令とを保持するメモリと、
前記命令を実行するプロセッサと
を備える、ワイヤレス通信のための装置。
［Ｃ２３］
前記アップリンク送信が近隣セルに対して前記干渉制限状態にあるという前記判断に応答して、前記メモリは、
受信機信号対干渉雑音比（ＳＩＮＲ）に応じて各アンテナからの放射電力を均衡させるように前記ＵＥに命令する信号を与えるための命令と、
開ループダイバーシティと閉ループ空間多重化とのうちの１つを実行するように前記ＵＥに命令する信号を与えるための命令と
をさらに保持する、［Ｃ２２］に記載の装置。
［Ｃ２４］
前記アップリンク送信が近隣セルに対して前記干渉制限状態にないという前記判断に応答して、前記メモリは、
送信信号対干渉雑音比（ＳＩＮＲ）を維持するために総電力制御を実行するように前記ＵＥに命令する信号を与えるための命令をさらに保持する、
［Ｃ２２］に記載の装置。
［Ｃ２５］
前記メモリは、前記複数のアンテナ間の電力割り当てを示すための信号を前記ＵＥに与えるための命令をさらに保持する、
［Ｃ２２］に記載の装置。
［Ｃ２６］
前記メモリは、ウォーターフィリング手法によって前記複数のアンテナに対する電力割り当てを実行するように前記ＵＥに命令する信号を与えるための命令をさらに保持する、
［Ｃ２２］に記載の装置。
［Ｃ２７］
前記メモリは、物理アップリンク共有チャネル（ＰＵＳＣＨ）に対する送信電力制御を実行するように前記ＵＥに命令する信号を与えるための命令をさらに保持する、
［Ｃ２２］に記載の装置。
［Ｃ２８］
前記メモリは、物理アップリンク共有チャネル（ＰＵＳＣＨ）の総送信電力に従うサウンディング基準信号を用いて一度に１つのアンテナをサウンディングすることによって、前記サウンディング基準信号に対する総電力制御を実行するように前記ＵＥに命令する信号を与えるための命令をさらに保持する、
［Ｃ２２］に記載の装置。
［Ｃ２９］
前記メモリは、等電力分割を用いて一度に２つ以上のアンテナをサウンディングすることによって、サウンディング基準信号に対する総電力制御を実行するように前記ＵＥに命令する信号を与えるための命令をさらに保持する、
［Ｃ２２］に記載の装置。
［Ｃ３０］
前記メモリは、物理アップリンク制御チャネル（ＰＵＣＣＨ）に対する送信電力制御を実行するように前記ＵＥに命令する信号を与えるための命令をさらに保持する、
［Ｃ２２］に記載の装置。
［Ｃ３１］
前記アップリンク送信が近隣セルに対して前記干渉制限状態にないという前記判断に応答して、前記メモリは、
受信機信号対干渉雑音比（ＳＩＮＲ）損失とダイバーシティ利得との間のトレードオフを達成するために、ＡＧＩが所定のしきい値を下回るという判断に応答して前記複数のアンテナに対する電力割り当てを実行するように前記ＵＥに命令する信号を与えるための命令と、
ＡＧＩが前記所定のしきい値を上回るという判断に応答して単一アンテナ送信を実行するように前記ＵＥに命令する信号を与えるための命令と
をさらに保持する、［Ｃ３０］に記載の装置。
［Ｃ３２］
前記アップリンク送信が近隣セルに対して前記干渉制限状態にあるという前記判断に応答して、前記メモリは、
前記複数のアンテナからの放射電力を均衡させるためにＡＧＩ補償を実行するように前記ＵＥに命令する信号を与えるための命令をさらに保持する、
［Ｃ３０］に記載の装置。
［Ｃ３３］
ワイヤレス通信ネットワーク中のユーザ機器（ＵＥ）の複数のアンテナからのアップリンク送信の制御パラメータを与えることと、
前記ＵＥから、前記複数のアンテナの総電力ヘッドルームとアンテナ利得不均衡（ＡＧＩ）とを特徴づけるレポートを受信することと、
前記レポートに応答して、電力割り当て方式と、送信ランクと、プリコーディング行列とを判断することと、
アップリンク送信のために使用する前記電力割り当て方式と、前記送信ランクと、前記プリコーディング行列とを前記ＵＥに送信することと
を備える、ワイヤレス通信のための方法。
［Ｃ３４］
正規化ベクトルを与えるために複数のアンテナ選択ベクトルを正規化し、前記正規化ベクトルを特殊プリコーディングベクトルとして使用することをさらに備える、
［Ｃ３３］に記載の方法。
［Ｃ３５］
ワイヤレス通信ネットワーク中のユーザ機器（ＵＥ）において受信される総電力ヘッドルームと受信アンテナ利得不均衡（ＡＧＩ）とに関するレポートを受信するための手段と、
前記レポートに応答して、電力割り当て方式と、送信ランクと、前記アップリンク送信ランクのためのプリコーディング行列とを判断するための手段と、
アップリンク送信のために使用する前記電力割り当て方式と、前記送信ランクと、前記プリコーディング行列とを前記ＵＥに送信するための手段と
を備える、ワイヤレス通信のための装置。
［Ｃ３６］
正規化ベクトルを与えるために複数のアンテナ選択ベクトルを正規化し、前記正規化ベクトルを特殊プリコーディングベクトルとして使用するための手段をさらに備える、［Ｃ３５］に記載の装置。
［Ｃ３７］
基地局へのアップリンク送信が干渉制限状態にある場合、複数のアンテナ間のアンテナ利得不均衡（ＡＧＩ）を補償することと、
前記基地局へのアップリンク送信が前記干渉制限状態にない場合、前記複数のアンテナに対する総電力制御を実行することと
を備える、ワイヤレス通信のための方法。
［Ｃ３８］
ＡＧＩを前記補償することは、受信機信号対干渉雑音比（ＳＩＮＲ）に応じて各アンテナからの放射電力を均衡させること備える、
［Ｃ３７］に記載の方法。
［Ｃ３９］
総電力制御を前記実行することは、送信信号対干渉雑音比（ＳＩＮＲ）を維持するために総電力制御を実行することを備える、
［Ｃ３７］に記載の方法。
［Ｃ４０］
基地局へのアップリンク送信が干渉制限状態にある場合、複数のアンテナ間のアンテナ利得不均衡（ＡＧＩ）を補償するための手段と、
前記基地局へのアップリンク送信が前記干渉制限状態にない場合、前記複数のアンテナに対する総電力制御を実行するための手段と
を備える、ワイヤレス通信のための装置。
［Ｃ４１］
複数の受信アンテナにおける総電力ヘッドルームと受信ＡＧＩとを前記基地局にレポートするための手段をさらに備える、
［Ｃ４０］に記載の装置。
［Ｃ４２］
複数の受信アンテナの間の測定されたダウンリンクパスロス差を前記基地局にレポートするための手段をさらに備える、
［Ｃ４０］に記載の装置。
［Ｃ４３］
基地局にアップリンク送信を送信するための複数のアンテナと、
前記複数のアンテナに電力供給するための電力モジュールと、
前記電力モジュールを制御するための制御モジュールと
を備え、前記制御モジュールは、
前記アップリンク送信が干渉制限状態にある場合、前記複数のアンテナ間のアンテナ利得不均衡（ＡＧＩ）を補償することと、
前記アップリンク送信が前記干渉制限状態にない場合、前記複数のアンテナに対する総電力制御を実行することと
を行うように構成される、
ワイヤレス通信のための装置。
［Ｃ４４］
前記制御モジュールは、受信機信号対干渉雑音比（ＳＩＮＲ）に応じて各アンテナからの放射電力を均衡させることによってＡＧＩを補償するようにさらに構成される、
［Ｃ４３］に記載の装置。
［Ｃ４５］
前記制御モジュールは、送信信号対干渉雑音比（ＳＩＮＲ）を維持するために総電力制御を実行するようにさらに構成される、
［Ｃ４３］に記載の装置。
【図１】
0005384739.tif 000015
【図２】
0005384739.tif 000016
【図３】
0005384739.tif 000017
【図４】
0005384739.tif 000018
【図５】
0005384739.tif 000019
【図６】
0005384739.tif 000020
【図７】
0005384739.tif 000021
【図８】
0005384739.tif 000022
【図９】
0005384739.tif 000023
【図１０】
0005384739.tif 000024
【図１１】
0005384739.tif 000025
【図１２】
0005384739.tif 000026
【図１３】
0005384739.tif 000027
【図１４】
0005384739.tif 000028
【図１５】
0005384739.tif 000029
【図１６】
0005384739.tif 000030
【図１７】
0005384739.tif 000031
【図１８】
0005384739.tif 000032
【図１９】
0005384739.tif 000033
【図２０】
0005384739.tif 000034
【図２１】
0005384739.tif 000035
【図２２】
0005384739.tif 000036
【図２３】
0005384739.tif 000037
【図２４】
0005384739.tif 000038
【図２５】
0005384739.tif 000039
【図２６】
0005384739.tif 000040
【図２７】
0005384739.tif 000041
【図２８】
0005384739.tif 000042
【図２９】
0005384739.tif 000043
【図３０】
0005384739.tif 000044
【図３１】
0005384739.tif 000045
【図３２】
0005384739.tif 000046